(57)【要約】【課題】利便性の向上が図れる通信機器を提供すること。【解決手段】通信機器５は、第１通信方式により外部機器と通信を行う機器側第１通信部５６１と、第１通信方式とは異なる第２通信方式により外部機器と通信を行う機器側第２通信部５６２と、第１通信方式による通信状態が良好であるか否かを判定する通信状態判定部５７２と、機器側第１，第２通信部５６１，５６２の動作を制御する機器側通信制御部５７１とを備える。機器側通信制御部５７１は、通信状態判定部５７２にて第１通信方式による通信状態が良好ではないと判定された場合には、機器側第２通信部５６２を介して、当該通信機器５とは異なる他の通信機器に対し、第１通信方式による通信の中断依頼を行う。【選択図】図３
2015164240.tif 000002
【特許請求の範囲】
【請求項１】
通信機器において、
第１通信方式により外部機器と通信を行う第１通信部と、
前記第１通信方式とは異なる第２通信方式により外部機器と通信を行う第２通信部と、
前記第１通信方式による通信状態が良好であるか否かを判定する通信状態判定部と、
前記第１通信部及び前記第２通信部の動作を制御する機器側通信制御部とを備え、
前記機器側通信制御部は、
前記通信状態判定部にて前記第１通信方式による通信状態が良好ではないと判定された場合には、前記第２通信部を介して、当該通信機器とは異なる他の通信機器に対し、前記第１通信方式による通信の中断依頼を行う
ことを特徴とする通信機器。
【請求項２】
前記第２通信部は、
前記第２通信方式によりネットワークを介して外部のサーバに接続可能とし、
前記機器側通信制御部は、
前記通信状態判定部にて前記第１通信方式による通信状態が良好ではないと判定された場合には、前記第２通信部を介して前記サーバに接続し、当該サーバを介して前記中断依頼を行う
ことを特徴とする請求項１に記載の通信機器。
【請求項３】
前記第１通信部は、
前記第１通信方式によりネットワークを介して外部のサーバに接続可能とし、
前記機器側通信制御部は、
前記第１通信部を介して前記サーバに接続し、当該サーバに対して画像データを送信する際に、前記通信状態判定部にて前記第１通信方式による通信状態が良好ではないと判定された場合に、前記第２通信部を介して、前記他の通信機器に対し、前記中断依頼を行う
ことを特徴とする請求項１または２に記載の通信機器。
【請求項４】
前記第１通信部は、
前記第１通信方式により外部の撮像装置と情報を送受信可能に接続し、
前記機器側通信制御部は、
前記第１通信部を介して前記撮像装置にて生成された画像データを前記撮像装置から受信する際に、前記通信状態判定部にて前記第１通信方式による通信状態が良好ではないと判定された場合に、前記第２通信部を介して、前記他の通信機器に対し、前記中断依頼を行う
ことを特徴とする請求項１〜３のいずれか一つに記載の通信機器。
【請求項５】
前記通信状態判定部にて前記第１通信方式による通信状態が良好ではないと判定された場合に、前記第１通信方式による通信状態が良好ではないことを示す情報を報知する報知部を備える
ことを特徴とする請求項１〜４のいずれか一つに記載の通信機器。
【請求項６】
前記第１通信部または前記第２通信部を介して前記中断依頼を受けた場合に、前記第１通信方式による通信の中断を促す情報を報知する報知部を備える
ことを特徴とする請求項１〜５のいずれか一つに記載の通信機器。
【請求項７】
前記第１通信方式は、
無線ＬＡＮを利用した通信方式であり、
前記第２通信方式は、
電話回線を利用した通信方式である
ことを特徴とする請求項１〜６のいずれか一つに記載の通信機器。
【請求項８】
２つの通信方式により通信可能な通信機器と前記２つの通信方式のうち第１通信方式により通信を行う撮像装置において、
前記通信機器は、
前記２つの通信方式のうち前記第１通信方式とは異なる第２通信方式によりネットワークを介して外部のサーバに接続可能とし、前記第１通信方式による通信状態が良好でない場合に前記第２通信方式により前記サーバに接続し、当該サーバを介して、当該通信機器とは異なる他の通信機器に対し、前記第１通信方式による通信の中断依頼を行い、
当該撮像装置は、
被写体を撮像して画像データを生成する撮像部と、
前記サーバにおける前記ネットワーク上の所在位置を示す所在位置情報を記録する撮像側記録部と、
前記第１通信方式により前記通信機器との間で情報を送受信可能に接続する撮像側通信部と、
前記撮像側通信部を介して、前記画像データ及び前記所在位置情報を前記通信機器に送信する撮像側通信制御部とを備える
ことを特徴とする撮像装置。
【請求項９】
ネットワークを介して複数の通信機器と通信を行うサーバにおいて、
前記ネットワークを介して前記複数の通信機器との間で情報を送受信可能に接続するサーバ側通信部と、
前記複数の通信機器毎に設定され、当該通信機器に情報を送信するためのアドレスを示すアドレス情報をそれぞれ記録するサーバ側記録部と、
前記サーバ側通信部を介して、前記複数の通信機器のうち一の通信機器から、当該一の通信機器を除く他の通信機器における第１通信方式による通信の中断依頼を受けるとともに、当該中断依頼を受けた場合に、前記アドレス情報に基づいて、前記他の通信機器のうち少なくともいずれかの通信機器に対して、前記中断依頼を示す中断依頼情報を送信するサーバ側通信制御部とを備える
ことを特徴とするサーバ。
【請求項１０】
請求項１〜７のいずれか一つに記載の通信機器と、
前記通信機器と前記第１通信方式により通信を行う撮像装置と、
ネットワークを介して前記通信機器と通信を行うサーバとを備える
ことを特徴とする通信システム。
【請求項１１】
前記撮像装置は、
請求項８に記載の撮像装置である
ことを特徴とする通信システム。
【請求項１２】
前記サーバは、
請求項９に記載のサーバである
ことを特徴とする通信システム。
【請求項１３】
通信機器が行う通信方法において、
第１通信方式による通信状態が良好であるか否かを判定する判定ステップと、
前記判定ステップにて前記第１通信方式による通信状態が良好ではないと判定した場合に、前記第１通信方式とは異なる第２通信方式により、前記通信機器とは異なる他の通信機器に対し、前記第１通信方式による通信の中断依頼を行う中断依頼ステップとを含む
ことを特徴とする通信方法。
【請求項１４】
請求項１３に記載の通信方法を通信機器に実行させる
ことを特徴とする通信プログラム。
【発明の詳細な説明】
【技術分野】
【０００１】
本発明は、通信機器、撮像装置、サーバ、通信システム、通信方法、及び通信プログラムに関する。
【背景技術】
【０００２】
近年、デジタルカメラ等の撮像装置において、撮像により生成した画像データを、通信技術を用いて、携帯電話等の外部の通信機器に順次、送信する技術が知られている（例えば、特許文献１参照）。
特許文献１に記載の技術は、通信機器により撮像装置を遠隔操作する技術である。
具体的に、特許文献１に記載の技術では、通信機器は、撮像装置から送信された画像データを順次、受信し、当該画像データに対応するライブビュー画像を当該通信機器に設けられた表示部に順次、表示する。通信機器のユーザは、通信機器の表示部に表示されたライブビュー画像を確認しながら、撮像装置に撮影を実行させたいタイミングで通信機器に対して撮影操作を実行する。この撮影操作により通信機器から撮影指示が撮像装置に送信される。撮像装置は、当該撮影指示を受信した後、被写体を撮像して画像データを生成し、当該画像データを通信機器に送信する。
以下、上述したような撮像装置及び通信機器を含んで構成されるシステムをカメラシステムと記載し、当該カメラシステムを利用するユーザをカメラユーザと記載する。
【先行技術文献】
【特許文献】
【０００３】
【特許文献１】特開２００３−２５００７９号公報
【発明の概要】
【発明が解決しようとする課題】
【０００４】
ところで、同一環境下で複数のカメラユーザがそれぞれカメラシステムを利用する場合には、同じ周波数帯の電波が混信し、各カメラシステムを構成する撮像装置と通信機器との間の通信状態が不良な状態に陥ることがある。このような場合には、カメラユーザは、通信機器及び撮像装置の連携操作ができない他、通信機器の表示部に表示される画面からライブビュー画像を確認することができず、撮像装置と通信機器との間の通信を利用して操作、確認、撮影を行うことができない。すなわち、利便性の向上が図れない、という問題がある。
【０００５】
本発明は、上記に鑑みてなされたものであって、利便性の向上が図れる通信機器、撮像装置、サーバ、通信システム、通信方法、及び通信プログラムを提供することを目的とする。
【課題を解決するための手段】
【０００６】
上述した課題を解決し、目的を達成するために、本発明に係る通信機器は、通信機器において、第１通信方式により外部機器と通信を行う第１通信部と、前記第１通信方式とは異なる第２通信方式により外部機器と通信を行う第２通信部と、前記第１通信方式による通信状態が良好であるか否かを判定する通信状態判定部と、前記第１通信部及び前記第２通信部の動作を制御する機器側通信制御部とを備え、前記機器側通信制御部は、前記通信状態判定部にて前記第１通信方式による通信状態が良好ではないと判定された場合には、前記第２通信部を介して、当該通信機器とは異なる他の通信機器に対し、前記第１通信方式による通信の中断依頼を行うことを特徴とする。
【０００７】
また、本発明に係る通信機器は、上記発明において、前記第２通信部は、前記第２通信方式によりネットワークを介して外部のサーバに接続可能とし、前記機器側通信制御部は、前記通信状態判定部にて前記第１通信方式による通信状態が良好ではないと判定された場合には、前記第２通信部を介して前記サーバに接続し、当該サーバを介して前記中断依頼を行うことを特徴とする。
【０００８】
また、本発明に係る通信機器は、上記発明において、前記第１通信部は、前記第１通信方式によりネットワークを介して外部のサーバに接続可能とし、前記機器側通信制御部は、前記第１通信部を介して前記サーバに接続し、当該サーバに対して画像データを送信する際に、前記通信状態判定部にて前記第１通信方式による通信状態が良好ではないと判定された場合に、前記第２通信部を介して、前記他の通信機器に対し、前記中断依頼を行うことを特徴とする。
【０００９】
また、本発明に係る通信機器は、上記発明において、前記第１通信部は、前記第１通信方式により外部の撮像装置と情報を送受信可能に接続し、前記機器側通信制御部は、前記第１通信部を介して前記撮像装置にて生成された画像データを前記撮像装置から受信する際に、前記通信状態判定部にて前記第１通信方式による通信状態が良好ではないと判定された場合に、前記第２通信部を介して、前記他の通信機器に対し、前記中断依頼を行うことを特徴とする。
【００１０】
また、本発明に係る通信機器は、上記発明において、前記通信状態判定部にて前記第１通信方式による通信状態が良好ではないと判定された場合に、前記第１通信方式による通信状態が良好ではないことを示す情報を報知する報知部を備えることを特徴とする。
【００１１】
また、本発明に係る通信機器は、上記発明において、前記第１通信部または前記第２通信部を介して前記中断依頼を受けた場合に、前記第１通信方式による通信の中断を促す情報を報知する報知部を備えることを特徴とする。
【００１２】
また、本発明に係る通信機器は、上記発明において、前記第１通信方式は、無線ＬＡＮを利用した通信方式であり、前記第２通信方式は、電話回線を利用した通信方式であることを特徴とする。
【００１３】
また、本発明に係る撮像装置は、２つの通信方式により通信可能な通信機器と前記２つの通信方式のうち第１通信方式により通信を行う撮像装置において、前記通信機器は、前記２つの通信方式のうち前記第１通信方式とは異なる第２通信方式によりネットワークを介して外部のサーバに接続可能とし、前記第１通信方式による通信状態が良好でない場合に前記第２通信方式により前記サーバに接続し、当該サーバを介して、当該通信機器とは異なる他の通信機器に対し、前記第１通信方式による通信の中断依頼を行い、当該撮像装置は、被写体を撮像して画像データを生成する撮像部と、前記サーバにおける前記ネットワーク上の所在位置を示す所在位置情報を記録する撮像側記録部と、前記第１通信方式により前記通信機器との間で情報を送受信可能に接続する撮像側通信部と、前記撮像側通信部を介して、前記画像データ及び前記所在位置情報を前記通信機器に送信する撮像側通信制御部とを備えることを特徴とする。
【００１４】
また、本発明に係るサーバは、ネットワークを介して複数の通信機器と通信を行うサーバにおいて、前記ネットワークを介して前記複数の通信機器との間で情報を送受信可能に接続するサーバ側通信部と、前記複数の通信機器毎に設定され、当該通信機器に情報を送信するためのアドレスを示すアドレス情報をそれぞれ記録するサーバ側記録部と、前記サーバ側通信部を介して、前記複数の通信機器のうち一の通信機器から、当該一の通信機器を除く他の通信機器における第１通信方式による通信の中断依頼を受けるとともに、当該中断依頼を受けた場合に、前記アドレス情報に基づいて、前記他の通信機器のうち少なくともいずれかの通信機器に対して、前記中断依頼を示す中断依頼情報を送信するサーバ側通信制御部とを備えることを特徴とする。
【００１５】
また、本発明に係る通信システムは、上述した通信機器と、前記通信機器と前記第１通信方式により通信を行う撮像装置と、ネットワークを介して前記通信機器と通信を行うサーバとを備えることを特徴とする。
【００１６】
また、本発明に係る通信システムは、上記発明において、前記撮像装置は、上述した撮像装置であることを特徴とする。
【００１７】
また、本発明に係る通信システムは、上記発明において、前記サーバは、上述したサーバであることを特徴とする。
【００１８】
また、本発明に係る通信方法は、通信機器が行う通信方法において、第１通信方式による通信状態が良好であるか否かを判定する判定ステップと、前記判定ステップにて前記第１通信方式による通信状態が良好ではないと判定した場合に、前記第１通信方式とは異なる第２通信方式により、前記通信機器とは異なる他の通信機器に対し、前記第１通信方式による通信の中断依頼を行う中断依頼ステップとを含むことを特徴とする。
【００１９】
また、本発明に係る通信プログラムは、上述した通信方法を通信機器に実行させることを特徴とする。
【発明の効果】
【００２０】
本発明に係る通信機器は、２つの第１，第２通信方式により外部機器と通信可能に構成され、第１通信方式による通信状態が良好ではない場合には、第２通信方式により、当該通信機器とは異なる他の通信機器に対し、第１通信方式による通信の中断依頼を行う。
このため、例えば同一環境下で複数のカメラユーザがそれぞれカメラシステムを利用したために第１通信方式による通信状態が不良な状態に陥った場合であっても、第２通信方式を利用して、他の通信機器に対して第１通信方式による通信の中断依頼を行うことで、第１通信方式による通信状態を良好な状態に復旧することができる。したがって、第１通信方式により撮像装置等の外部機器と通信を行うことが可能となり、利便性の向上が図れる、という効果を奏する。
【００２１】
本発明に係る撮像装置は、上述した通信機器と通信を行う撮像装置であるため、上述した通信機器と同様の効果を奏する。
本発明に係るサーバは、上述した通信機器とネットワークを介して通信を行うサーバであるため、上述した通信機器と同様の効果を奏する。
本発明に係る通信システムは、上述した通信機器を備えるため、上述した通信機器と同様の効果を奏する。
本発明に係る通信方法は、上述した通信機器が行う通信方法であるため、上述した通信機器と同様の効果を奏する。
本発明に係る通信プログラムは、上述した通信機器にて実行されるプログラムであるため、上述した通信機器と同様の効果を奏する。
【図面の簡単な説明】
【００２２】
【図１】図１は、本発明の実施の形態に係る通信システムの構成を模式的に示す図である。
【図２】図２は、図１に示した撮像装置の構成を示すブロック図である。
【図３】図３は、図１に示した通信機器の構成を示すブロック図である。
【図４】図４は、図１に示したサーバの構成を示すブロック図である。
【図５】図５は、図１に示した通信システムの使用態様の一例を示す図である。
【図６】図６は、図１及び図２に示した撮像装置の動作を示すフローチャートである。
【図７】図７は、図１及び図３に示した通信機器の動作を示すフローチャートである。
【図８】図８は、図７に示したステップＳ２０２で表示される初期画面の一例を示す図である。
【図９】図９は、図７に示したステップＳ２０８で表示されるライブビュー表示画面の一例を示す図である。
【図１０】図１０は、図７に示したステップＳ２１５で表示される撮影画像表示画面の一例を示す図である。
【図１１】図１１は、図７に示したステップＳ２２３で表示される通信中画面の一例を示す図である。
【図１２】図１２は、図７に示した通信ＮＧ処理（１）（ステップＳ２０６）を示すフローチャートである。
【図１３】図１３は、図１２に示したステップＳ２０６Ａで表示される画像の一例を示す図である。
【図１４】図１４は、図７に示した通信ＮＧ処理（２）（ステップＳ２２６）を示すフローチャートである。
【図１５】図１５は、図７に示した通信ＮＧ処理（３）（ステップＳ２１２）を示すフローチャートである。
【図１６】図１６は、図１５に示したステップＳ２１２Ａで表示される中断依頼画面の一例を示す図である。
【図１７】図１７は、図１５に示したステップＳ２１２Ｆで表示される中断継続画面の一例を示す図である。
【図１８】図１８は、図７に示した登録処理（ステップＳ２２９）を示すフローチャートである。
【図１９】図１９は、図１８に示したステップＳ２２９Ｃで表示される登録ページの一例を示す図である。
【図２０】図２０は、図７に示した作成処理（ステップＳ２３１）を示すフローチャートである。
【図２１】図２１は、図２０に示したステップＳ２３１Ｂ，Ｓ２３１Ｃで表示される作成ページの一例を示す図である。
【図２２】図２２は、図２０に示したステップＳ２３１Ｂ，Ｓ２３１Ｃで表示される作成ページの一例を示す図である。
【図２３】図２３は、図２０に示したステップＳ２３１Ｂ，Ｓ２３１Ｃで表示される作成ページの一例を示す図である。
【図２４】図２４は、図２０に示したステップＳ２３１Ｂ，Ｓ２３１Ｃで表示される作成ページの一例を示す図である。
【図２５】図２５は、図１及び図４に示したサーバの動作を示すフローチャートである。
【発明を実施するための形態】
【００２３】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００２４】
〔通信システムの概略構成〕
図１は、本発明の実施の形態に係る通信システム１の構成を模式的に示す図である。
通信システム１は、同一の被写体を撮像する等の共通の撮影目的を有する複数のカメラユーザに用いられ、複数のカメラユーザにて撮影された複数の画像を１つのアルバムとして管理するシステムである。この通信システム１は、図１に示すように、被写体を撮像する撮像装置４及び２つの通信方式により通信可能な通信機器５を有するカメラシステム２と、通信機器５から当該２つの通信方式によりインターネット網（ネットワーク）Ｎを介してアクセス可能なサーバ３とを備える。
なお、通信システム１は、複数のカメラシステム２を含んで構成されるが、図１では、説明の便宜上、カメラシステム２を１つのみ図示している。
【００２５】
〔カメラシステムの構成〕
カメラシステム２は、図１に示すように、撮像装置４及び通信機器５の他、アタッチメント６を備える。
アタッチメント６は、撮像装置４及び通信機器５を機械的に接続する部材である。
より具体的に、アタッチメント６は、図１に示すように、通信機器５の背面に装着される。また、アタッチメント６には、平面視で円形状を有し、撮像装置４が嵌め込まれる取付用孔６Ａが設けられている。
そして、アタッチメント６を介して撮像装置４及び通信機器５が機械的に接続された状態では、カメラシステム２の全体形状は、デジタルカメラをイメージする形状となる。
なお、カメラシステム２としては、アタッチメント６を備えた構成に限られず、アタッチメント６を省略した構成としても構わない。
【００２６】
〔撮像装置の構成〕
なお、以下では、撮像装置４の構成として、本発明の要部を主に説明する。
図２は、撮像装置４の構成を示すブロック図である。
撮像装置４は、図２に示すように、光学系４１と、駆動部４２と、位置検出部４３と、操作部４４と、第１撮像部４５と、第１メモリ部４６と、第１記録部４７と、撮像側通信部４８と、第１制御部４９とを備える。そして、これら部材４１〜４９は、全体略円柱形状を有するレンズ鏡筒４０（図１）内部に収納される。すなわち、撮像装置４の全体形状は、図１に示すように、所謂交換レンズの全体形状と略同様の形状を有する。
【００２７】
光学系４１は、所定の視野領域から光を集光し、この集光した光を、第１撮像部４５を構成する撮像素子（図示略）の撮像面に結像する。この光学系４１は、図２に示すように、ズームレンズ４１１と、フォーカスレンズ４１２とを備える。
ズームレンズ４１１は、一または複数のレンズを用いて構成され、図２に破線で示した光軸に沿って移動することにより、光学系４１のズーム倍率を変更する。
フォーカスレンズ４１２は、一または複数のレンズを用いて構成され、図２に破線で示した光軸に沿って移動することにより、光学系４１のピント位置及び焦点距離を変更する。
【００２８】
駆動部４２は、第１制御部４９による制御の下、光学系４１を構成する各レンズ４１１，４１２を光軸に沿って移動させる。この駆動部４２は、図２に示すように、ズーム駆動部４２１と、フォーカス駆動部４２２とを備える。
ズーム駆動部４２１は、ステッピングモータやＤＣモータ等を用いて構成され、ズームレンズ４１１を光軸に沿って移動させる。
フォーカス駆動部４２２は、ステッピングモータやＤＣモータ等を用いて構成され、フォーカスレンズ４１２を光軸に沿って移動させる。
【００２９】
位置検出部４３は、光学系４１を構成する各レンズ４１１，４１２の光軸上の位置を検出する。この位置検出部４３は、図２に示すように、ズーム位置検出部４３１と、フォーカス位置検出部４３２とを備える。
ズーム位置検出部４３１は、フォトインタラプタ等を用いて構成され、ズーム駆動部４２１にて駆動されたズームレンズ４１１の光軸上の位置を検出する。
具体的には、ズーム位置検出部４３１は、ズーム駆動部４２１に含まれる駆動用モータの回転量をパルス数に変換し、変換したパルス数に基づいて、無限遠を基準とする基準位置からのズームレンズ４１１の光軸上の位置を検出する。
フォーカス位置検出部４３２は、フォトインタラプタ等を用いて構成され、ズーム位置検出部４３１と同様の方法により、フォーカス駆動部４２２にて駆動されたフォーカスレンズ４１２の光軸上の位置を検出する。
【００３０】
操作部４４は、レンズ鏡筒４０の周囲に設けられる操作リング、レンズ鏡筒４０の外面に設けられるボタンやスイッチ等であり、光学系４１内のズームレンズ４１１やフォーカスレンズ４１２の光軸上の位置の変更操作や、撮影操作等のユーザ操作を受け付ける。そして、操作部４４は、当該ユーザ操作に応じた指示信号を第１制御部４９に出力する。
【００３１】
第１撮像部４５は、本発明に係る撮像部としての機能を有し、第１制御部４９による制御の下、被写体を撮像して画像データを生成する。この第１撮像部４５は、光学系４１が結像した被写体像を受光して電気信号に変換するＣＣＤ（Ｃｈａｒｇｅ  Ｃｏｕｐｌｅｄ  Ｄｅｖｉｃｅ）等の撮像素子、当該撮像素子からの電気信号（アナログ信号）に対して信号処理（Ａ／Ｄ変換等）を行うことによりデジタルの画像データを生成する信号処理部等を用いて構成される。そして、第１撮像部４５にて順次、生成された画像データ（以下、ライブビュー画像データと記載）は、第１制御部４９による制御の下、当該ライブビュー画像データが生成された時刻に関する時刻情報（以下、タイムスタンプと記載）が関連付けられて、順次、第１メモリ部４６に記憶される。また、カメラユーザによる撮像装置４（操作部４４）や通信機器５への撮影操作に応じて第１撮像部４５にて生成された画像データ（以下、撮影画像データと記載）は、当該撮影画像データが生成された時刻に関するタイムスタンプが関連付けられて、第１記録部４７に記録される。
【００３２】
第１メモリ部４６は、第１撮像部４５にて生成されたライブビュー画像データ（タイムスタンプを含む）を順次、記憶する。
第１記録部４７は、第１制御部４９が実行する各種プログラム、光学系４１の倍率、焦点距離、画角、収差及びＦ値（明るさ）等の光学系４１の特性に関する特性情報、及びサーバ３におけるインターネット網Ｎ上の所在位置を示す所在位置情報（ＵＲＬ（Ｕｎｉｆｏｒｍ  Ｒｅｓｏｕｒｃｅ  Ｌｏｃａｔｏｒ））を記録する。すなわち、第１記録部４７は、本発明に係る撮像側記録部としての機能を有する。また、第１記録部４７は、カメラユーザによる撮像装置４（操作部４４）や通信機器５への撮影操作に応じて、第１制御部４９による制御の下、第１撮像部４５にて生成された撮影画像データ（タイムスタンプを含む）を記録する。
【００３３】
撮像側通信部４８は、第１制御部４９による制御の下、通信機器５との間で通信に必要な信号を含む各種データの無線通信を第１通信方式により行うための通信インターフェースである。
本実施の形態では、当該第１通信方式として、Ｗｉ−Ｆｉ（Ｗｉｒｅｌｅｓｓ  Ｆｉｄｅｌｉｔｙ）（登録商標）を採用している。なお、当該第１通信方式としては、無線ＬＡＮ（Ｌｏｃａｌ  Ａｒｅａ  Ｎｅｔｗｏｒｋ）を利用した通信方式であれば、Ｗｉ−Ｆｉの他、ＷｉＭＡＸ（Ｗｏｒｌｄｅｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）（登録商標）等、他の通信方式を採用しても構わない。
例えば、Ｗｉ−Ｆｉ（登録商標）の場合、ローカルネットワークを想定し、機器の役割として、アクセスポイント、ステーションの関係があり、概略の接続処理としては、アクセスポイントが構築している無線ネットワークに、ステーションが接続する関係となる。
大まかな接続シーケンスとしては、（Ｓｔｅｐ１）アクセスポイントは、無線ネットワークを構築し、自分のネットワーク識別子（ＳＳＩＤ）を報知する、（Ｓｔｅｐ２）ステーションは、報知されているネットワーク識別子（ＳＳＩＤ）を検索し、所望のネットワーク（アクセスポイント）に接続する、というＳｔｅｐ１，２を踏み、多くの機器とのネットワークを想定するので、カバー範囲が広く、干渉の問題を考慮しながら厳密な識別ステップを踏むことになる。このため、接続確立に時間が掛かることがある。ただし、データ通信は、アクセスポイント、ステーションそれぞれのタイミングでデータの送受信が可能である。ここでは、撮像装置４をアクセスポイント、通信機器５をステーションと考えればよい。なお、この関係は逆でもよい。１０メガビット／秒以上という速度で通信することができるので画像も高速で送信することができる。
【００３４】
第１制御部４９は、ＣＰＵ（Ｃｅｎｔｒａｌ  Ｐｒｏｃｅｓｓｉｎｇ  Ｕｎｉｔ）等を用いて構成され、操作部４４からの指示信号や、撮像側通信部４８を介して入力される通信機器５からの指示信号に応じて撮像装置４全体の動作を制御する。
例えば、第１制御部４９は、撮像側通信部４８を介して、通信機器５との間でＷｉ−Ｆｉ（登録商標）等の第１通信方式による通信接続を確立する。そして、第１制御部４９は、第１記録部４７に記録された特性情報及び所在位置情報、位置検出部４３が検出したズームレンズ４１１及びフォーカスレンズ４１２の各位置に関する位置情報、第１メモリ部４６に記憶された最新のライブビュー画像データ（タイムスタンプを含む）、第１記録部４７に記録された最新の撮影画像データ（タイムスタンプを含む）等を通信機器５に送信する。すなわち、第１制御部４９は、本発明に係る撮像側通信制御部としての機能を有する。なお、「最新」とは、タイムスタンプに基づく時刻上、最新という意味である（以下、同様）。また、第１制御部４９は、撮像側通信部４８を介して、通信機器５から撮影指示や光学系４１の動作指示を受信する。
【００３５】
〔通信機器の構成〕
通信機器５は、例えば、デジタルカメラ、デジタルビデオカメラ、または携帯電話やタブレット型携帯機器等として構成される（図１では、通信機器５を携帯電話（スマートフォン）として図示）。
なお、以下では、通信機器５の構成として、本発明の要部を主に説明する。
図３は、通信機器５の構成を示すブロック図である。
この通信機器５は、図３に示すように、入力部５１と、表示部５２と、第２撮像部５３と、第２メモリ部５４と、第２記録部５５と、機器側通信部５６と、第２制御部５７とを備える。
【００３６】
入力部５１は、ユーザ操作を受け付けるボタン、スイッチ、タッチパネル等を用いて構成され、当該ユーザ操作に応じた指示信号を第２制御部５７に出力する。
表示部５２は、液晶または有機ＥＬ（Ｅｌｅｃｔｒｏ  Ｌｕｍｉｎｅｓｃｅｎｃｅ）等からなる表示パネルを用いて構成され、第２制御部５７による制御の下、所定の画像を表示する。
【００３７】
第２撮像部５３は、背面に設けられ（図１）、第２制御部５７による制御の下、被写体を撮像して画像データを生成する。この第２撮像部５３は、被写体像を結像する光学系５３１（図１）、光学系５３１が結像した被写体像を受光して電気信号に変換するＣＣＤ等の撮像素子（図示略）、当該撮像素子からの電気信号（アナログ信号）に対して信号処理（Ａ／Ｄ変換等）を行うことによりデジタルの画像データを生成する信号処理部等を用いて構成される。
【００３８】
第２メモリ部５４は、第２撮像部５３にて生成された画像データ、機器側通信部５６を介して撮像装置４から受信した情報を記憶する。
第２記録部５５は、図３に示すように、プログラム記録部５５１と、画像データ記録部５５２と、所在位置情報記録部５５３とを備える。
プログラム記録部５５１は、第２制御部５７が実行する各種プログラム（通信プログラムを含む）、及びプログラムの実行中に使用される各種データ等を記録する。
画像データ記録部５５１は、第２制御部５７による制御の下、カメラユーザによる入力部５１への撮影操作に応じて、撮像装置４にて生成された撮影画像データ、または、第２撮像部５３にて生成された画像データを記録する。
所在位置情報記録部５５３は、第２制御部５７による制御の下、機器側通信部５６を介して、撮像装置４から受信した所在位置情報（ＵＲＬ）を記録する。
【００３９】
機器側通信部５６は、第２制御部５７による制御の下、撮像装置４やサーバ３との間で通信に必要な信号を含む各種データの無線通信を所定のプロトコルに従って行う。この機器側通信部５６は、図３に示すように、機器側第１通信部５６１と、機器側第２通信部５６２とを備える。
機器側第１通信部５６１は、Ｗｉ−Ｆｉ（登録商標）等の無線ＬＡＮを利用した第１通信方式により通信を行うための通信インターフェースであり、本発明に係る第１通信部としての機能を有する。
機器側第２通信部５６２は、第１通信方式とは異なる通信方式であって、３Ｇ，４Ｇ等の携帯電話回線を利用した第２通信方式により通信を行うための通信インターフェースであり、本発明に係る第２通信部としての機能を有する。
【００４０】
第２制御部５７は、ＣＰＵ等を用いて構成され、入力部５１からの指示信号等に応じて通信機器５を構成する各部に対応する指示やデータの転送等を行って通信機器５の動作を統括的に制御する。この第２制御部５７は、図３に示すように、機器側通信制御部５７１と、通信状態判定部５７２と、機器側表示制御部５７３と、撮像制御部５７４とを備える。
【００４１】
機器側通信制御部５７１は、機器側第１通信部５６１を介して、撮像装置４との間でＷｉ−Ｆｉ（登録商標）等の第１通信方式による通信接続を確立する。そして、機器側通信制御部５７１は、撮像装置４から特性情報、位置情報、ライブビュー画像データ（タイムスタンプを含む）、撮影画像データ（タイムスタンプを含む）、所在位置情報（ＵＲＬ）等を受信する。また、機器側通信制御部５７１は、機器側第１通信部５６１または機器側第２通信部５６２を介して、インターネット網Ｎに接続する。すなわち、機器側通信制御部５７１は、図１に示すように、Ｗｉ−Ｆｉ（登録商標）等の第１通信方式（機器側第１通信部５６１）により、外部のアクセスポイントＡを介して、インターネット網Ｎに接続する。また、機器側通信制御部５７１は、３Ｇ等の第２通信方式（機器側第２通信部５６２）により、外部の基地局Ｂを介して、インターネット網Ｎに接続する。そして、機器側通信制御部５７１は、撮像装置４から受信した所在位置情報（ＵＲＬ）に基づいて、インターネット網Ｎに接続されたサーバ３に対してアクセス可能とする。さらに、機器側通信制御部５７１は、通信状態判定部５７２にてＷｉ−Ｆｉ（登録商標）等の第１通信方式による通信状態が良好ではないと判定された場合に、３Ｇ等の第２通信方式によりサーバ３にアクセスし、当該サーバ３に対して中断依頼情報（メール）の送信指示を行う。ここで、中断依頼情報は、他の通信機器５に対するＷｉ−Ｆｉ（登録商標）等の第１通信方式による通信の中断依頼を示す情報である。すなわち、本実施の形態では、通信機器５（機器側通信制御部５７１）は、他の通信機器５に対し、サーバ３を介して中断依頼を行う。
【００４２】
通信状態判定部５７２は、Ｗｉ−Ｆｉ（登録商標）等の第１通信方式による通信状態が良好であるか否かを判定する。
例えば、通信状態判定部５７２は、撮像装置４やアクセスポイントＡから第１通信方式により送信される信号（第１通信方式がＷｉ−Ｆｉ（登録商標）であれば、Ｗｉ−Ｆｉ（登録商標）の信号）の信号強度を検出する。そして、通信状態判定部５７２は、当該信号強度が所定の閾値以上である場合には、第１通信方式による通信状態が良好であると判定する。一方、通信状態判定部５７２は、当該信号強度が上記閾値未満である場合には、第１通信方式による通信状態が良好ではないと判定する。
【００４３】
機器側表示制御部５７３は、表示部５２の動作を制御し、第２メモリ部５４に記憶されたライブビュー画像データに対応するライブビュー画像、画像データ記録部５５２に記録された撮影画像データ等の画像データに対応する画像、及び各種モードの選択を促す初期画面等を表示部５２に表示させる。
そして、上述した機器側表示制御部５７３及び表示部５２は、本発明に係る報知部としての機能を有する。
【００４４】
撮像制御部５７４は、通信機器５がカメラ通信モード（撮像装置４を利用して被写体を撮影するモード）に設定されている場合には、カメラユーザによる入力部５１への撮影操作に応じて、機器側第１通信部５６１を介して、撮影を行う旨の撮影指示（当該撮影により得られた撮影画像データの転送要求も含む）を撮像装置４に送信する。そして、撮像制御部５７４は、撮像装置４から撮影画像データが転送された場合に、当該撮影画像データを画像データ記録部５５２に記録する。また、撮像制御部５７４は、カメラユーザによる入力部５１への光学系４１を動作（ズームレンズ４１１、フォーカスレンズ４１２の光軸上の位置を変更）させる操作に応じて、機器側第１通信部５６１を介して、光学系４１の動作指示を撮像装置４に送信する。
一方、撮像制御部５７４は、通信機器５が通常撮影モード（第２撮像部５３を利用して被写体を撮影するモード）に設定されている場合には、通信機器５のユーザによる入力部５１への撮影操作に応じて、第２撮像部５３に被写体を撮像させ、第２撮像部５３にて生成された画像データを画像データ記録部５５２に記録する。
【００４５】
〔サーバの構成〕
サーバ３は、共通の撮影目的を有する複数のカメラユーザにて撮影された複数の画像を１つのアルバムとして管理（当該複数のカメラユーザのグループが複数ある場合には当該グループ毎のアルバムを管理）するサーバである。
なお、以下では、サーバ３の構成として、本発明の要部を主に説明する。
図４は、サーバ３の構成を示すブロック図である。
サーバ３は、図４に示すように、サーバ側通信部３１と、ユーザデータベース３２と、画像データベース３３と、第３制御部３４とを備える。
サーバ側通信部３１は、第３制御部３４による制御の下、インターネット網Ｎを介して通信機器５との間で通信に必要な信号を含む各種データの無線通信を所定の通信方式により行うための通信インターフェースである。
【００４６】
ユーザデータベース３２は、第３制御部３４による制御の下、カメラユーザのユーザ情報（当該カメラユーザのハンドルネーム、当該カメラユーザが使用する通信機器５のメールアドレス（本発明に係るアドレス情報に相当）等）を記録する。すなわち、ユーザデータベース３２は、本発明に係るサーバ側記録部としての機能を有する。ここで、ユーザ情報には、第３制御部３４により、当該ユーザ情報に対応するカメラユーザが使用する通信機器５の端末を識別する識別情報、及び当該ユーザ情報に対応するカメラユーザがアルバム作成に参加するアルバムのアルバム名称に関する情報が関連付けられている。
画像データベース３３は、第３制御部３４による制御の下、サーバ側通信部３１を介して通信機器５から受信した撮影画像データを記録する。ここで、撮影画像データには、第３制御部３４により、当該撮影画像データを送信した通信機器５のカメラユーザがアルバム作成に参加するアルバムのアルバム名称に関する情報が関連付けられている。
【００４７】
第３制御部３４は、ＣＰＵ等を用いて構成され、サーバ３の動作を統括的に制御する。この第３制御部３４は、図４に示すように、サーバ側通信制御部３４１と、端末判定部３４２と、ユーザデータベース管理部３４３と、画像データベース管理部３４４と、サーバ側表示制御部３４５とを備える。
サーバ側通信制御部３４１は、インターネット網Ｎを介して通信機器５から送信されるアクセス信号（送信元の通信機器５の端末を識別する識別情報を含む）に応じて、サーバ側通信部３１の動作を制御し、通信機器５との通信接続を確立する。また、サーバ側通信制御部３４１は、サーバ側通信部３１を介して通信機器５から中断依頼情報（メール）の送信指示（送信元の通信機器５の端末を識別する識別情報を含む）を受信した場合には、ユーザデータベース３２に記録された情報を参照し、端末判定部３４２にて特定された通信機器５とは異なる他の通信機器５に対して中断依頼情報（メール）を送信する。
端末判定部３４２は、インターネット網Ｎを介して通信機器５から送信されるアクセス信号に基づいて、アクセスしてきた送信元の通信機器５の識別情報を判定（特定）する。
【００４８】
ユーザデータベース管理部３４３は、ユーザデータベース３２を管理する。
具体的に、ユーザデータベース管理部３４３は、通信機器５のブラウザを介して当該通信機器５に表示された登録ページ上で当該通信機器５のカメラユーザによりユーザ情報が設定（入力）された場合に、当該ユーザ情報を端末判定部３４２にて特定された当該通信機器５の識別情報に関連付けてユーザデータベース３２に記録する。また、ユーザデータベース管理部３４３は、通信機器５のブラウザを介して当該通信機器５に表示された作成ページ上で当該通信機器５のカメラユーザによりアルバム作成に参加する旨の設定（入力）がなされたアルバムのアルバム名称や当該アルバム作成の有効期間（以下、アルバム有効期間と記載）に関する情報を、ユーザデータベース３２に記録されたユーザ情報のうち、端末判定部３４２にて特定された通信機器５の識別情報に対応するユーザ情報に関連付ける。
すなわち、ユーザデータベース管理部３４３には、互いに関連付けられたユーザ情報、識別情報、アルバム作成に参加しているアルバムのアルバム名称及びアルバム有効期間に関する情報が複数、記録されている。
【００４９】
画像データベース管理部３４４は、画像データベース３３を管理する。
具体的に、画像データベース管理部３４４は、サーバ側通信部３１を介して通信機器５から撮影画像データを受信した場合に、当該撮影画像データを画像データベース３３に記録する。ここで、画像データベース管理部３４４は、ユーザデータベース３２に記録されたユーザ情報のうち、端末判定部３４２にて特定された通信機器５の識別情報に対応するユーザ情報に関連付けられたアルバム名称に関する情報を、当該撮影画像データに関連付ける。
すなわち、画像データベース管理部３４４には、互いに関連付けられた撮影画像データ及びアルバム名称に関する情報が複数、記録されている。
【００５０】
サーバ側表示制御部３４５は、サーバ側通信部３１を介して通信機器５から受信したアクセス信号に応じて、指定された指定ページを当該通信機器５に送信し、当該指定ページに対応する画像を当該通信機器５に表示させる。
【００５１】
〔通信システムの動作〕
次に、上述した通信システム１の動作について説明する。
図５は、通信システム１の使用態様の一例を示す図である。具体的に、図５は、結婚式を想定し、結婚式に参加している複数のカメラユーザ（図５では「カメラユーザＸ（以下、「Ｘさん」と記載）」、「カメラユーザＹ（以下、「Ｙさん」と記載）」、及び「カメラユーザＺ（以下、「Ｚさん」と記載）」の三人）がそれぞれカメラシステム２を利用して花婿Ｇｒ及び花嫁Ｂｒを撮影し、撮影した各画像を１つのアルバムとしてサーバ３で管理する態様を例示している。なお、図５では、カメラシステム２として、アタッチメント６を使用していない。
以下、通信システム１の動作として、撮像装置４の動作、通信機器５の動作、及びサーバ３の動作を順に説明する。
なお、撮像装置４及び通信機器５の間では、一対一（Ｘさんが使用する撮像装置４Ｘに対してＸさんが使用する通信機器５Ｘ、Ｙさんが使用する撮像装置４Ｙに対してＹさんが使用する通信機器５Ｙ、Ｚさんが使用する撮像装置４Ｚに対してＺさんが使用する通信機器５Ｚ）で、既にＷｉ−Ｆｉ（登録商標）等の第１通信方式による通信接続が確立（完了）しているものとする。また、撮像装置４及び通信機器５の間では、ライブビュー画像データ、撮影指示、及び撮影画像データの送受信を主に説明し、特性情報、位置情報、及び動作指示の送受信については説明を省略する。
【００５２】
〔撮像装置の動作〕
図６は、撮像装置４の動作を示すフローチャートである。
カメラユーザによる操作部４４への操作によって撮像装置４の電源がオンになる（ステップＳ１０１：Ｙｅｓ）と、第１制御部４９は、第１撮像部４５に撮像を開始させる（ステップＳ１０２）。第１撮像部４５にて生成されたライブビュー画像データ（タイムスタンプを含む）は、順次、第１メモリ部４６に記憶される。
続いて、第１制御部４９は、撮像側通信部４８を介して、第１メモリ部４６に記憶された最新のライブビュー画像データ（タイムスタンプを含む）を通信機器５に送信する（ステップＳ１０３）。
【００５３】
続いて、第１制御部４９は、撮像側通信部４８を介して、通信機器５から撮影指示を受信したか否かを判断する（ステップＳ１０４）。
撮影指示を受信していないと判断した場合（ステップＳ１０４：Ｎｏ）には、第１制御部４９は、カメラユーザによる操作部４４への撮影操作があったか否かを判断する（ステップＳ１０５）。
撮影指示を受信したと判断した場合（ステップＳ１０４：Ｙｅｓ）、または、撮影操作があったと判断した場合（ステップＳ１０５：Ｙｅｓ）には、第１制御部４９は、第１撮像部４５に撮像を行わせる（ステップＳ１０６）。
続いて、第１制御部４９は、当該撮像により生成された撮影画像データ（タイムスタンプを含む）を第１記録部４７に記録する（ステップＳ１０７）。
続いて、第１制御部４９は、撮像側通信部４８を介して、第１記録部４７に記録された最新の撮影画像データを通信機器５に送信する（ステップＳ１０８）。
【００５４】
ステップＳ１０８の後、または、撮影操作がないと判断した場合（ステップＳ１０５：Ｎｏ）には、第１制御部４９は、撮像側通信部４８を介して、通信機器５から所在位置情報（ＵＲＬ）の送信要求を受けたか否かを判断する（ステップＳ１０９）。
所在位置情報の送信要求を受けていないと判断された場合（ステップＳ１０９：Ｎｏ）には、撮像装置４は、ステップＳ１０１に戻る。
一方、所在位置情報の送信要求を受けたと判断した場合（ステップＳ１０９：Ｙｅｓ）には、第１制御部４９は、撮像側通信部４８を介して、第１記録部４７に記録された所在位置情報を通信機器５に送信する（ステップＳ１１０）。この後、撮像装置４は、ステップＳ１０１に戻る。
【００５５】
〔通信機器の動作〕
次に、通信機器５の動作（本発明に係る通信方法）について説明する。
図７は、通信機器５の動作を示すフローチャートである。
カメラユーザによる入力部５１への操作によって通信機器５の電源がオンになる（ステップＳ２０１：Ｙｅｓ）と、機器側表示制御部５７３は、各種モードの選択を促す初期画面を表示部５２に表示させる（ステップＳ２０２）。
図８は、ステップＳ２０２で表示される初期画面Ｗ１の一例を示す図である。
例えば、機器側表示制御部５７３は、ステップＳ２０２において、図８に示す初期画面Ｗ１を表示部５２に表示させる。
この初期画面Ｗ１には、図８に示すように、「カメラ通信モード」の選択操作を受け付ける操作アイコンＡ１と、「アルバムメンバー登録モード」の選択操作を受け付ける操作アイコンＡ２と、「アルバム作成モード」の選択操作を受け付ける操作アイコンＡ３等が表示されている。
ここで、「アルバムメンバー登録モード」は、サーバ３に対して、アルバムを作成するために必要なユーザ情報の登録（メンバー登録）を行うためのモードである。また、「アルバム作成モード」は、サーバ３にて管理されるアルバムの作成に参加するためのモードである。
【００５６】
続いて、第２制御部５７は、カメラユーザによる入力部５１への操作により、「カメラ通信モード」が選択（図８の例では、タッチパネル（入力部５１）への操作により、操作アイコンＡ１がタッチ）されたか否かを判断する（ステップＳ２０３）。
「カメラ通信モード」が選択されたと判断された場合（ステップＳ２０３：Ｙｅｓ）には、通信状態判定部５７２は、Ｗｉ−Ｆｉ（登録商標）等の第１通信方式による通信状態が良好であるか否かを判定する（ステップＳ２０４：判定ステップ）。
第１通信方式による通信状態が良好ではないと判定された場合（ステップＳ２０５：Ｎｏ）には、第２制御部５７は、通信ＮＧ処理（１）を実行する（ステップＳ２０６）。この後、通信機器５は、ステップＳ２３２に移行する。
なお、通信ＮＧ処理（１）（ステップＳ２０６）の詳細については後述する。
【００５７】
一方、第１通信方式による通信状態が良好であると判定された場合（ステップＳ２０５：Ｙｅｓ）には、機器側通信制御部５７１は、機器側第１通信部５６１を介して、撮像装置４からライブビュー画像データ（タイムスタンプを含む）を受信したか否かを判断する（ステップＳ２０７）。
ライブビュー画像データ（タイムスタンプを含む）を受信したと判断した場合（ステップＳ２０７：Ｙｅｓ）には、機器側通信制御部５７１は、当該受信したライブビュー画像データ（タイムスタンプを含む）を第２メモリ部５４に記憶する。そして、機器側表示制御部５７３は、第２メモリ部５４に記憶された最新のライブビュー画像データに対応するライブビュー画像を含むライブビュー表示画面を表示部５２に表示させる（ステップＳ２０８）。
図９は、図５に対応した図であり、ステップＳ２０８で表示されるライブビュー表示画面Ｗ２の一例を示す図である。
例えば、機器側表示制御部５７３は、ステップＳ２０８において、図９に示すライブビュー表示画面Ｗ２を表示部５２に表示させる。
このライブビュー表示画面Ｗ２には、図９に示すように、当該画面のタイトル（ライブビュー表示）を示すタイトル画像Ｔ１と、第２メモリ部５４に記憶された最新のライブビュー画像データに対応するライブビュー画像Ｗ１０１と、撮影操作を受け付ける操作アイコンＡ４等が表示されている。
【００５８】
続いて、撮像制御部５７４は、カメラユーザによる入力部５１への撮影操作があった（図９の例では、タッチパネル（入力部５１）への操作により、「撮影？」の文字が付された操作アイコンＡ４がタッチされた）か否かを判断する（ステップＳ２０９）。
撮影操作がないと判断された場合（ステップＳ２０９：Ｎｏ）には、通信機器５は、ステップＳ２１１に移行する。
一方、撮影操作があったと判断した場合（ステップＳ２０９：Ｙｅｓ）には、撮像制御部５７４は、機器側第１通信部５６１を介して、撮影指示（撮影により得られた撮影画像データの転送要求も含む）を撮像装置４に送信する（ステップＳ２１０）。
【００５９】
ステップＳ２１０の後、または、撮影操作がないと判断された場合（ステップＳ２０９：Ｎｏ）には、機器側通信制御部５７１は、機器側通信部５６を介して、サーバ３から中断依頼情報（メール）を受信したか否かを判断する（ステップＳ２１１）。
中断依頼情報（メール）を受信していないと判断された場合（ステップＳ２１１：Ｎｏ）には、通信機器５は、ステップＳ２３２に移行する。
一方、中断依頼情報（メール）を受信したと判断された場合（ステップＳ２１１：Ｙｅｓ）には、通信機器５は、通信ＮＧ処理（３）を実行する（ステップＳ２１２）。この後、通信機器５は、ステップＳ２３２に移行する。
なお、通信ＮＧ処理（３）（ステップＳ２１２）の詳細については後述する。
【００６０】
ステップＳ２０７でライブビュー画像データ（タイムスタンプを含む）を受信していないと判断した場合（ステップＳ２０７：Ｎｏ）には、機器側通信制御部５７１は、機器側第１通信部５６１を介して、撮像装置４から撮影画像データ（タイムスタンプを含む）を受信したか否かを判断する（ステップＳ２１３）。
撮影画像データを受信していないと判断された場合（ステップＳ２１３：Ｎｏ）には、通信機器５は、ステップＳ２３２に移行する。
一方、撮影画像データを受信したと判断された場合（ステップＳ２１３：Ｙｅｓ）には、撮像制御部５７４は、当該受信した撮影画像データ（タイムスタンプを含む）を画像データ記録部５５２に記録する（ステップＳ２１４）。
【００６１】
続いて、機器側表示制御部５７３は、画像データ記録部５５２に記録された最新の撮影画像データに対応する撮影画像を含む撮影画像表示画面を表示部５２に表示させる（ステップＳ２１５）。
図１０は、図５に対応した図であり、ステップＳ２１５で表示される撮影画像表示画面Ｗ３の一例を示す図である。
例えば、機器側表示制御部５７３は、ステップＳ２１５において、図１０に示す撮影画像表示画面Ｗ３を表示部５２に表示させる。
この撮影画像表示画面Ｗ３には、図１０に示すように、当該画面のタイトル（撮影画像表示）を示すタイトル画像Ｔ２と、画像データ記録部５５２に記録された最新の撮影画像データに対応する撮影画像Ｗ２０１と、当該撮影画像データのサーバ３へのアップロード操作を受け付ける操作アイコンＡ５等が表示されている。
【００６２】
続いて、第２制御部５７は、カメラユーザによる入力部５１へのアップロード操作があった（図１０の例では、タッチパネル（入力部５１）への操作により、「ＵＰ？」の文字が付された操作アイコンＡ５がタッチされた）か否かを判断する（ステップＳ２１６）。
アップロード操作がないと判断した場合（ステップＳ２１６：Ｎｏ）には、第２制御部５７は、ステップＳ２１５で撮影画像表示画面の表示が行われてから所定時間が経過したか否かを判断する（ステップＳ２１７）。
所定時間が経過していないと判断された場合（ステップＳ２１７：Ｎｏ）には、通信機器５は、ステップＳ２１６に戻る。
一方、所定時間が経過したと判断された場合（ステップＳ２１７：Ｙｅｓ）には、機器側表示制御部５７３は、撮影画像表示画面の表示を終了する（ステップＳ２１８）。この後、通信機器５は、ステップＳ２３２に移行する。
【００６３】
ステップＳ２１６でアップロード操作があったと判断した場合（ステップＳ２１６：Ｙｅｓ）には、第２制御部５７は、「アルバムメンバー登録モード」により、サーバ３に対してメンバー登録が済んでいるか否かを判断する（ステップＳ２１９）。例えば、第２制御部５７は、所在位置情報記録部５５３に所在位置情報（ＵＲＬ）が記録されているか否かにより、メンバー登録が済んでいるか否か（所在位置情報が記録されている場合にはメンバー登録が済んでいる）を判断する。
メンバー登録が済んでいないと判断した場合（ステップＳ２１９：Ｎｏ）には、第２制御部５７は、メンバー登録を行うための登録処理を実行する（ステップＳ２２０）。
なお、登録処理（ステップＳ２２０）の詳細については後述する。
【００６４】
ステップＳ２２０の後、またはステップＳ２１９でメンバー登録が済んでいると判断した場合（ステップＳ２１９：Ｙｅｓ）には、第２制御部５７は、「アルバム作成モード」により、サーバ３にて管理されているアルバムの作成に参加しているか否かを判断する（ステップＳ２２１）。例えば、第２制御部５７は、機器側通信部５６を介してインターネット網Ｎに接続し、サーバ３にアクセスすることで、サーバ３にて管理されるアルバムの作成に参加しているか否かを認識する。
アルバムの作成に参加していないと判断した場合（ステップＳ２２１：Ｎｏ）には、第２制御部５７は、アルバムの作成に参加するための作成処理を実行する（ステップＳ２２２）。
なお、作成処理（ステップＳ２２２）の詳細については後述する。
【００６５】
ステップＳ２２２の後、またはステップＳ２２１でアルバムの作成に参加していると判断された場合（ステップＳ２２１：Ｙｅｓ）には、機器側表示制御部５７３は、アップロード中であることを示す通信中画面を表示部５２に表示させる（ステップＳ２２３）。
図１１は、図５に対応した図であり、ステップＳ２２３で表示される通信中画面Ｗ４の一例を示す図である。
例えば、機器側表示制御部５７３は、ステップＳ２２３において、図１１に示す通信中画面Ｗ４を表示部５２に表示させる。
この通信中画面Ｗ４には、図１１に示すように、当該画面のタイトル（ＵＰ中）を示すタイトル画像Ｔ３と、サーバ３に対するアップロードの対象となる撮影画像データに対応する撮影画像Ｗ２０１と、当該撮影画像データのサーバ３へのアップロードのキャンセル操作を受け付ける操作アイコンＡ６等が表示されている。
【００６６】
続いて、通信状態判定部５７２は、Ｗｉ−Ｆｉ（登録商標）等の第１通信方式による通信状態が良好であるか否かを判定する（ステップＳ２２４：判定ステップ）。
第１通信方式による通信状態が良好ではないと判定された場合（ステップＳ２２５：Ｎｏ）には、第２制御部５７は、通信ＮＧ処理（２）を実行する（ステップＳ２２６）。この後、通信機器５は、ステップＳ２３２に移行する。
なお、通信ＮＧ処理（２）（ステップＳ２２６）の詳細については後述する。
一方、第１通信方式による通信状態が良好であると判定された場合（ステップＳ２２５：Ｙｅｓ）には、機器側通信制御部５７１は、Ｗｉ−Ｆｉ（登録商標）等の第１通信方式によりアクセスポイントＡを介してインターネット網Ｎに接続し、サーバ３に対して、画像データ記録部５５２に記録された最新の撮影画像データを送信（自身の通信機器５の端末を識別する識別情報の送信も含む）する（ステップＳ２２７）。この後、通信機器５は、ステップＳ２３２に移行する。
なお、通信中画面が表示されている際に、カメラユーザにより入力部５１へキャンセル操作された（図１１の例では、タッチパネル（入力部５１）への操作により、「キャンセル」の文字が付された操作アイコンＡ６がタッチされた）場合には、通信機器５は、ステップＳ２２６，Ｓ２２７を実行することなく、ステップＳ２３２に移行する。
【００６７】
ステップＳ２０３で「カメラ通信モード」が選択されていないと判断した場合（ステップＳ２０３：Ｎｏ）には、第２制御部５７は、カメラユーザによる入力部５１への操作により、「アルバムメンバー登録モード」が選択（図８の例では、タッチパネル（入力部５１）への操作により、操作アイコンＡ２がタッチ）されたか否かを判断する（ステップＳ２２８）。
「アルバムメンバー登録モード」が選択されたと判断した場合（ステップＳ２２８：Ｙｅｓ）には、第２制御部５７は、メンバー登録を行うための登録処理を実行する（ステップＳ２２９）。この後、通信機器５は、ステップＳ２３２に移行する。
なお、登録処理（ステップＳ２２９）の詳細については後述する。
【００６８】
一方、「アルバムメンバー登録モード」が選択されていないと判断した場合（ステップＳ２２８：Ｎｏ）には、第２制御部５７は、カメラユーザによる入力部５１への操作により、「アルバム作成モード」が選択（図８の例では、タッチパネル（入力部５１）への操作により、操作アイコンＡ３がタッチ）されたか否かを判断する（ステップＳ２３０）。
「アルバム作成モード」が選択されていないと判断された場合（ステップＳ２３０：Ｎｏ）には、通信機器５は、ステップＳ２０１に戻る。
一方、「アルバム作成モード」が選択されたと判断した場合（ステップＳ２３０：Ｙｅｓ）には、第２制御部５７は、アルバムの作成に参加するための作成処理を実行する（ステップＳ２３１）。この後、通信機器５は、ステップＳ２３２に移行する。
なお、作成処理（ステップＳ２３１）の詳細については後述する。
【００６９】
ステップＳ２０６，Ｓ２１２，Ｓ２１８，Ｓ２２６，Ｓ２２７，Ｓ２２９，Ｓ２３１の後、または、ステップＳ２１３で撮影画像データを受信していないと判断された場合（ステップＳ２１３：Ｎｏ）には、第２制御部５７は、カメラユーザによる入力部５１への操作によって通信機器５の電源がオフになったか否かを判断する（ステップＳ２３２）。
電源がオフになったと判断された場合（ステップＳ２３２：Ｙｅｓ）には、通信機器５は、本処理を終了する。
一方、電源がオフになっていないと判断した場合（ステップＳ２３２：Ｎｏ）には、第２制御部５７は、カメラユーザによる入力部５１への操作により、各種モードの選択を促す初期画面の表示操作があったか否かを判断する（ステップＳ２３３）。
初期画面の表示操作があったと判断された場合（ステップＳ２３３：Ｙｅｓ）には、通信機器５は、ステップＳ２０２に戻る。
一方、初期画面の表示操作がないと判断された場合（ステップＳ２３３：Ｎｏ）には、通信機器５は、ステップＳ２０３に戻り、既に設定されたモードを継続する。
【００７０】
〔通信ＮＧ処理（１）〕
次に、通信ＮＧ処理（１）（ステップＳ２０６）について説明する。
図１２は、通信ＮＧ処理（１）（ステップＳ２０６）を示すフローチャートである。
機器側表示制御部５７３は、Ｗｉ−Ｆｉ（登録商標）等の第１通信方式による通信が不能（通信不可）であることを示す通信不可画面を表示部５２に表示させる（ステップＳ２０６Ａ）。
図１３は、図５に対応した図であり、ステップＳ２０６Ａで表示される通信不可画面Ｗ５の一例を示す図である。
例えば、機器側表示制御部５７３は、ステップＳ２０６Ａにおいて、図１３に示す通信不可画面Ｗ５を表示部５２に表示させる。
この通信不可画面Ｗ５には、図１３に示すように、当該画面のタイトル（通信不可）を示すタイトル画像Ｔ４と、直前のステップＳ２０８，ステップＳ２１５，Ｓ２２３で表示していたライブビュー画像Ｗ１０１または撮影画像Ｗ２０１と、他の通信機器５に対するＷｉ−Ｆｉ（登録商標）等の第１通信方式による通信の中断依頼操作を受け付ける操作アイコンＡ７等が表示されている。
ここで、通信不可画面Ｗ５に表示されるライブビュー画像Ｗ１０１または撮影画像Ｗ２０１は、図９に示したライブビュー画像Ｗ１０１または撮影画像Ｗ２０１に対して輝度が低い画像となっている（図１３では、当該輝度の低さを斜線で表現）。
【００７１】
続いて、第２制御部５７は、カメラユーザによる入力部５１への中断依頼操作があった（図１３の例では、タッチパネル（入力部５１）への操作により、「Ｈｅｌｐ」の文字が付された操作アイコンＡ７がタッチされた）か否かを判断する（ステップＳ２０６Ｂ）。
中断依頼操作がないと判断された場合（ステップＳ２０６Ｂ：Ｎｏ）には、第２制御部５７は、ステップＳ２０６Ａで通信不可画面の表示が行われてから所定時間が経過したか否かを判断する（ステップＳ２０６Ｃ）。
所定時間が経過していないと判断された場合（ステップＳ２０６Ｃ：Ｎｏ）には、通信機器５は、ステップＳ２０６Ｂに戻る。
一方、所定時間が経過したと判断された場合（ステップＳ２０６Ｃ：Ｙｅｓ）には、機器側表示制御部５７３は、通信不可画面の表示を終了する（ステップＳ２０６Ｄ）。この後、通信機器５は、図７に示したメインルーチンに戻る。
【００７２】
ステップＳ２０６で中断依頼操作があったと判断された場合（ステップＳ２０６Ｂ：Ｙｅｓ）には、機器側通信制御部５７１は、３Ｇ等の第２通信方式により基地局Ｂを介してインターネット網Ｎに接続してサーバ３にアクセスし、当該サーバ３に対して中断依頼情報（メール）の送信指示（自身の通信機器５の端末を識別する識別情報の送信も含む）を行う（ステップＳ２０６Ｅ：中断依頼ステップ）。この後、通信機器５は、図７に示したメインルーチンに戻る。
【００７３】
〔通信ＮＧ処理（２）〕
次に、通信ＮＧ処理（２）（ステップＳ２２６）について説明する。
図１４は、通信ＮＧ処理（２）（ステップＳ２２６）を示すフローチャートである。
機器側表示制御部５７３は、Ｗｉ−Ｆｉ（登録商標）等の第１通信方式による通信が不能（通信不可）であることを示す通信不可画面を表示部５２に表示させる（ステップＳ２２６Ａ）。
例えば、機器側表示制御部５７３は、ステップＳ２２６Ａにおいて、図１３に示す通信不可画面Ｗ５（タイトル画像Ｔ４、直前のステップＳ２２３で表示していた撮影画像Ｗ２０１、及び操作アイコンＡ７）を表示部５２に表示させる。
【００７４】
続いて、第２制御部５７は、カメラユーザによる入力部５１への中断依頼操作があった（図１３の例では、タッチパネル（入力部５１）への操作により、「Ｈｅｌｐ」の文字が付された操作アイコンＡ７がタッチされた）か否かを判断する（ステップＳ２２６Ｂ）。
中断依頼操作がないと判断された場合（ステップＳ２２６Ｂ：Ｎｏ）には、第２制御部５７は、ステップＳ２２６Ａで通信不可画面の表示が行われてから所定時間が経過したか否かを判断する（ステップＳ２２６Ｃ）。
所定時間が経過していないと判断された場合（ステップＳ２２６Ｃ：Ｎｏ）には、通信機器５は、ステップＳ２２６Ｂに戻る。
一方、所定時間が経過したと判断された場合（ステップＳ２２６Ｃ：Ｙｅｓ）には、機器側表示制御部５７３は、通信不可画面の表示を終了する（ステップＳ２２６Ｄ）。この後、通信機器５は、図７に示したメインルーチンに戻る。
【００７５】
ステップＳ２２６Ｂで中断依頼操作があったと判断した場合（ステップＳ２２６Ｂ：Ｙｅｓ）には、第２制御部５７は、Ｗｉ−Ｆｉ（登録商標）等の第１通信方式による通信の不能によりアップロードすることができなかった撮影画像データを再度、アップロードすることを示す再送信設定フラグがオン状態になっているか否か（再送信設定があるか否か）を判断する（ステップＳ２２６Ｅ）。なお、再送信設定フラグは、第２メモリ部５４に記憶されており、カメラユーザによる入力部５１への操作に応じて、第２制御部５７により、再送信を行うオン状態、または再送信を行わないオフ状態に設定される。
再送信設定があると判断された場合（ステップＳ２２６Ｅ：Ｙｅｓ）には、機器側通信制御部５７１は、Ｗｉ−Ｆｉ（登録商標）等の第１通信方式によりアクセスポイントＡを介してインターネット網Ｎに接続し、サーバ３に対して、画像データ記録部５５２に記録された最新の撮影画像データを再送信（自身の通信機器５の端末を識別する識別情報の再送信も含む）する（ステップＳ２２６Ｆ）。この後、通信機器５は、図７に示したメインルーチンに戻る。
なお、中断依頼操作があってから所定時間が経過し、Ｗｉ−Ｆｉ（登録商標）等の第１通信方式による通信状態が良好になってからステップＳ２２６Ｆを実行するように構成しても構わない。
【００７６】
一方、再送信設定がないと判断された場合（ステップＳ２２６Ｅ：Ｎｏ）には、機器側通信制御部５７１は、３Ｇ等の第２通信方式により基地局Ｂを介してインターネット網Ｎに接続してサーバ３にアクセスし、当該サーバ３に対して中断依頼情報（メール）の送信指示（自身の通信機器５の端末を識別する識別情報の送信も含む）を行う（ステップＳ２２６Ｇ：中断依頼ステップ）。この後、通信機器５は、図７に示したメインルーチンに戻る。
【００７７】
〔通信ＮＧ処理（３）〕
次に、通信ＮＧ処理（３）（ステップＳ２１２）について説明する。
図１５は、通信ＮＧ処理（３）（ステップＳ２１２）を示すフローチャートである。
機器側表示制御部５７３は、他の通信機器５からＷｉ−Ｆｉ（登録商標）等の第１通信方式による通信の中断依頼を受けた（中断依頼情報（メール）を受信した）ことを示すとともに、第１通信方式による通信の中断を促す中断依頼画面を表示部５２に表示させる（ステップＳ２１２Ａ）。
図１６は、図５に対応した図であり、ステップＳ２１２Ａで表示される中断依頼画面Ｗ６の一例を示す図である。
例えば、機器側表示制御部５７３は、ステップＳ２１２Ａにおいて、図１６に示す中断依頼画面Ｗ６を表示部５２に表示させる。
この中断依頼画面Ｗ６には、図１６に示すように、自身の通信機器５におけるＷｉ−Ｆｉ（登録商標）等の第１通信方式による通信の中断操作を受け付ける操作アイコンＡ８と、画像データ記録部５５２に記録された最新のライブビュー画像データに対応するライブビュー画像Ｗ１０１と、撮影操作を受け付ける操作アイコンＡ４等が表示されている。
【００７８】
続いて、第２制御部５７は、カメラユーザによる入力部５１への中断操作があった（図１６の例では、タッチパネル（入力部５１）への操作により、「通信中断依頼！」の文字が付された操作アイコンＡ８がタッチされた）か否かを判断する（ステップＳ２１２Ｂ）。
中断操作がないと判断された場合（ステップＳ２１２Ｂ：Ｎｏ）には、第２制御部５７は、ステップＳ２１２Ａで中断依頼画面の表示が行われてから所定時間が経過したか否かを判断する（ステップＳ２１２Ｃ）。
所定時間が経過していないと判断された場合（ステップＳ２１２Ｃ：Ｎｏ）には、通信機器５は、ステップＳ２１２Ｂに戻る。
一方、所定時間が経過したと判断された場合（ステップＳ２１２Ｃ：Ｙｅｓ）には、機器側表示制御部５７３は、中断依頼画面の表示を終了する（ステップＳ２１２Ｄ）。この後、通信機器５は、図７に示したメインルーチンに戻る。
【００７９】
ステップＳ２１２Ｂで中断操作があったと判断された場合（ステップＳ２１２Ｂ：Ｙｅｓ）には、機器側通信制御部５７１は、Ｗｉ−Ｆｉ（登録商標）等の第１通信方式による通信（撮像装置４との通信、及びアクセスポイントＡとの通信）を中断する（ステップＳ２１２Ｅ）。なお、図１５に示したステップＳ２１２Ｅの「第１通信方式による通信を中断」は、説明の簡単化のために、中断という記載を行っているが、通信の中断にはいくつか方法があり、Ｗｉ−Ｆｉ（登録商標）を切断する以外にも、Ｗｉ−Ｆｉ（登録商標）を切断せずに、スルー画（ライブビュー画像データ）転送だけを停止する方法もある。前者の方が効果は高いが、特定の通信仕様では、アプリによる自動制御ができない場合があるので、後者の制御でもよい。後者の方が、復帰までの時間が短いというメリットもある。
続いて、機器側表示制御部５７３は、Ｗｉ−Ｆｉ（登録商標）等の第１通信方式による通信の中断を行っていることを示す中断継続画面を表示部５２に表示させる（ステップＳ２１２Ｆ）。
図１７は、図５に対応した図であり、ステップＳ２１２Ｆで表示される中断継続画面Ｗ７の一例を示す図である。
例えば、機器側表示制御部５７３は、ステップＳ２１２Ｆにおいて、図１７に示す中断継続画面Ｗ７を表示部５２に表示させる。
この中断継続画面Ｗ７には、図１７に示すように、当該画面のタイトル（通信中断時間）を示すタイトル画像Ｔ５と、Ｗｉ−Ｆｉ（登録商標）等の第１通信方式による通信の中断を行う残り時間（当該通信を再開するまでの時間）を示す時間情報Ｃ１と、当該通信の中断の終了操作（当該通信の再開操作）を受け付ける操作アイコンＡ９等が表示されている。
【００８０】
続いて、第２制御部５７は、ステップＳ２１２Ｆで中断継続画面の表示が行われてから所定時間が経過したか否かを判断する（ステップＳ２１２Ｇ）。
所定時間が経過していないと判断した場合（ステップＳ２１２Ｇ：Ｎｏ）には、第２制御部５７は、カメラユーザによる入力部５１への終了操作があった（図１７の例では、タッチパネル（入力部５１）への操作により、「終了？」の文字が付された操作アイコンＡ９がタッチされた）か否かを判断する（ステップＳ２１２Ｈ）。
終了操作がないと判断された場合（ステップＳ２１２Ｈ：Ｎｏ）には、通信機器５は、ステップＳ２１２Ｇに戻る。
そして、所定時間が経過したと判断された場合（ステップＳ２１２Ｇ：Ｙｅｓ）、または、終了操作があったと判断された場合（ステップＳ２１２Ｈ：Ｙｅｓ）には、機器側通信制御部５７１は、Ｗｉ−Ｆｉ（登録商標）等の第１通信方式による通信を再開（撮像装置４との通信接続、及びアクセスポイントＡとの通信接続を再開）する（ステップＳ２１２Ｉ）。この後、通信機器５は、図７に示したメインルーチンに戻る。
【００８１】
〔登録処理〕
次に、登録処理（ステップＳ２２０，Ｓ２２９）について説明する。
なお、ステップＳ２２０，Ｓ２２９で実行される登録処理は、同一の処理である。このため、以下では、登録処理（ステップＳ２２９）のみを説明する。
図１８は、登録処理（ステップＳ２２９）を示すフローチャートである。
機器側通信制御部５７１は、機器側第１通信部５６１を介して、撮像装置４に対して所在位置情報（ＵＲＬ）の送信要求を行い、撮像装置４から当該所在位置情報を受信する（ステップＳ２２９Ａ）。そして、機器側通信制御部５７１は、当該受信した所在位置情報を所在位置情報記録部５５３に記録する。
【００８２】
続いて、機器側通信制御部５７１は、Ｗｉ−Ｆｉ（登録商標）等の第１通信方式によりアクセスポイントＡを介してインターネット網Ｎに接続し、サーバ３に対して、メンバー登録を行うことを示す登録アクセス信号（自身の通信機器５の端末を識別する識別情報を含む）を送信する（ステップＳ２２９Ｂ）。
続いて、第２制御部５７は、機器側第１通信部５６１、アクセスポイントＡ、及びインターネット網Ｎを介して、サーバ３からメンバー登録用の登録ページを受信するとともに、当該受信した登録ページを表示部５２に表示させる（ステップＳ２２９Ｃ）。
図１９は、ステップＳ２２９Ｃで表示される登録ページＷ８の一例を示す図である。
例えば、機器側表示制御部５７３は、ステップＳ２２９Ｃにおいて、図１９に示す登録ページＷ８を表示部５２に表示させる。
この登録ページＷ８には、図１９に示すように、当該ページのタイトル（アルバムメンバー登録）を示すタイトル画像Ｔ６と、ハンドルネームの入力領域Ｅ１と、メールアドレスの入力領域Ｅ２と、入力したユーザ情報（ハンドルネーム及びメールアドレス）でメンバー登録を行う登録完了操作を受け付ける操作アイコンＡ１０等が表示されている。
なお、登録ページＷ８にメンバー登録を途中で終了する終了操作を受け付ける操作アイコンを表示し、当該操作アイコンを操作することでメンバー登録を途中で終了することができるように構成しても構わない。
【００８３】
続いて、第２制御部５７は、カメラユーザによる入力部５１へのユーザ情報の入力操作に応じて、各種設定処理を実行する（ステップＳ２２９Ｄ）。
例えば、機器側表示制御部５７３は、図１９に示す登録ページＷ８を表示部５２に表示させている状態で、カメラユーザによるタッチパネル（入力部５１）への操作により、入力領域Ｅ１や入力領域Ｅ２がタッチされた場合には、登録ページＷ８上に「ローマ字」の入力操作や「かな」の入力操作を受け付けるキーボード入力アイコン（図示略）を重畳表示させる。そして、第２制御部５７は、カメラユーザによる当該キーボード入力アイコンの操作により、入力領域Ｅ１や入力領域Ｅ２にハンドルネームやメールアドレスが入力された場合に、当該入力されたハンドルネームやメールアドレスに関するユーザ情報を第２メモリ部５４に記憶する。
【００８４】
続いて、第２制御部５７は、カメラユーザにより入力部５１へ登録完了操作があった（図１９の例では、タッチパネル（入力部５１）への操作により、「登録」の文字が付された操作アイコンＡ１０がタッチされた）か否かを判断する（ステップＳ２２９Ｅ）。
登録完了操作がないと判断された場合（ステップＳ２２９Ｅ：Ｎｏ）には、通信機器５は、ステップＳ２２９Ｄに戻る。
一方、登録完了操作があったと判断された場合（ステップＳ２２９Ｅ：Ｙｅｓ）には、機器側通信制御部５７１は、機器側第１通信部５６１、アクセスポイントＡ、及びインターネット網Ｎを介して、カメラユーザにより入力されたユーザ情報（第２メモリ部５４に記憶されたユーザ情報）をサーバ３に送信する（ステップＳ２２９Ｆ）。この後、通信機器５は、図７に示したメインルーチンに戻る。
【００８５】
なお、上述したステップＳ２２９Ｂ〜Ｓ２２９Ｆでは、通信機器５がＷｉ−Ｆｉ（登録商標）等の第１通信方式によりアクセスポイントＡを介してインターネット網Ｎに接続してサーバ３との間で通信を行う場合を例示したが、これに限られない。例えば、上述したステップＳ２２９Ｂ〜Ｓ２２９Ｆにおいて、Ｗｉ−Ｆｉ（登録商標）等の第１通信方式による通信状態が良好ではない場合には、３Ｇ等の第２通信方式により基地局Ｂを介してインターネット網Ｎに接続してサーバ３との間で通信を行うように構成しても構わない。
【００８６】
〔作成処理〕
次に、作成処理（ステップＳ２２２，Ｓ２３１）について説明する。
なお、ステップＳ２２２，Ｓ２３１で実行される作成処理は、同一の処理である。このため、以下では、作成処理（ステップＳ２３１）のみを説明する。
図２０は、作成処理（ステップＳ２３１）を示すフローチャートである。
機器側通信制御部５７１は、Ｗｉ−Ｆｉ（登録商標）等の第１通信方式によりアクセスポイントＡを介してインターネット網Ｎに接続し、サーバ３に対して、アルバム作成を行うことを示す作成アクセス信号（自身の通信機器５の端末を識別する識別情報を含む）を送信する（ステップＳ２３１Ａ）。
続いて、第２制御部５７は、機器側第１通信部５６１、アクセスポイントＡ、及びインターネット網Ｎを介して、サーバ３からアルバム作成用の作成ページを受信するとともに、当該受信した作成ページを表示部５２に表示させる（ステップＳ２３１Ｂ）。
続いて、第２制御部５７は、カメラユーザによる入力部５１への操作に応じて、各種設定処理を実行する（ステップＳ２３１Ｃ）。
【００８７】
図２１ないし図２４は、ステップＳ２３１Ｂ，Ｓ２３１Ｃで表示される第１〜第４作成ページＷ９〜Ｗ１２の一例を示す図である。
例えば、機器側表示制御部５７３は、ステップＳ２３１Ｂにおいて、図２１に示す第１作成ページＷ９を表示部５２に表示させる。
この第１作成ページＷ９には、図２１に示すように、当該ページのタイトル（アルバム作成）を示すタイトル画像Ｔ７と、新規のアルバム作成を行う新規作成操作を受け付ける操作アイコンＡ１１と、アルバム作成に参加する参加操作を受け付ける操作アイコンＡ１２等が表示されている。
なお、第１作成ページＷ９にアルバム作成を途中で終了する終了操作を受け付ける操作アイコンを表示し、当該操作アイコンを操作することでアルバム作成を途中で終了することができるように構成しても構わない。
【００８８】
ここで、第２制御部５７は、図２１に示す第１作成ページＷ９を表示部５２に表示させている状態で、ステップＳ２３１Ｃにおいて、カメラユーザによるタッチパネル（入力部５１）への操作により、「新規」の文字が付された操作アイコンＡ１１がタッチされた場合には、サーバ３に対して次ページ（図２２に示す第２作成ページＷ１０）の送信要求を行うとともに、受信した第２作成ページＷ１０を表示部５２に表示させる。
この第２作成ページＷ１０には、図２２に示すように、当該ページのタイトル（新規アルバム作成）を示すタイトル画像Ｔ８と、アルバム名称の入力領域Ｅ３と、アルバム有効期間の入力領域Ｅ４と、入力した内容で新規のアルバム作成を行う作成操作を受け付ける操作アイコンＡ１３等が表示されている。
なお、第２作成ページＷ１０に新規のアルバム作成を途中で終了する終了操作を受け付ける操作アイコンを表示し、当該操作アイコンを操作することで新規のアルバム作成を途中で終了することができるように構成しても構わない。また、第２作成ページＷ１０にページを前ページ（第１作成ページＷ９）に戻すページ戻し操作を受け付ける操作アイコンを表示し、当該操作アイコンを操作することでページを前ページに戻すことができるように構成しても構わない。
【００８９】
また、機器側表示制御部５７３は、図２２に示す第２作成ページＷ１０を表示部５２に表示させている状態で、ステップＳ２３１Ｃにおいて、カメラユーザによるタッチパネル（入力部５１）への操作により、入力領域Ｅ３や入力領域Ｅ４がタッチされた場合には、第２作成ページＷ１０上に「ローマ字」の入力操作や「かな」の入力操作を受け付けるキーボード入力アイコン（図示略）を重畳表示させる。そして、第２制御部５７は、カメラユーザによる当該キーボード入力アイコンの操作により、入力領域Ｅ３や入力領域Ｅ４にアルバム名称（図５の例では「Ｇｒさん」及び「Ｂｒさん」の結婚式等）やアルバム有効期間が入力された場合に、当該入力されたアルバム名称やアルバム有効期間に関する情報を第２メモリ部５４に記憶する。
【００９０】
一方、第２制御部５７は、図２１に示す第１作成ページＷ９を表示部５２に表示させている状態で、ステップＳ２３１Ｃにおいて、カメラユーザによるタッチパネル（入力部５１）への操作により、「参加」の文字が付された操作アイコンＡ１２がタッチされた場合には、サーバ３に対して次ページ（図２３に示す第３作成ページＷ１１）の送信要求を行うとともに、受信した第３作成ページＷ１１を表示部５２に表示させる。
この第３作成ページＷ１１には、図２３に示すように、当該ページのタイトル（アルバム参加）を示すタイトル画像Ｔ９と、作成中のアルバムのアルバム名称である「Ａ」や「Ｂ」等への参加を表明する参加表明操作を受け付ける操作アイコンＡ１４，Ａ１５等が表示されている。
なお、第３作成ページＷ１１にアルバム作成の参加を途中で終了する終了操作を受け付ける操作アイコンを表示し、当該操作アイコンを操作することでアルバム作成の参加を途中で終了することができるように構成しても構わない。また、第３作成ページＷ１１にページを前ページ（第１作成ページＷ９）に戻すページ戻し操作を受け付ける操作アイコンを表示し、当該操作アイコンを操作することでページを前ページに戻すことができるように構成しても構わない。
【００９１】
また、第２制御部５７は、図２３に示す第３作成ページＷ１１を表示部５２に表示させている状態で、ステップＳ２３１Ｃにおいて、カメラユーザによるタッチパネル（入力部５１）への操作により、アルバム名称「Ａ」，「Ｂ」等の文字が付された操作アイコンＡ１４，Ａ１５等がタッチされた場合には、サーバ３に対して、タッチされた操作アイコンＡ１４，Ａ１５等に対応するアルバム名称に関する情報を送信するとともに、次ページ（図２４に示す第４作成ページＷ１２）の送信要求を行い、受信した第４作成ページＷ１２を表示部５２に表示させる。
ここで、図２４では、アルバム名称「Ａ（図５の例では「Ｇｒさん」及び「Ｂｒさん」の結婚式）」の文字が付された操作アイコンＡ１４がタッチされた場合に、表示部５２に表示される第４作成ページＷ１２を図示している。
この第４作成ページＷ１２には、図２４に示すように、当該ページのタイトル（「Ａ」のメンバー）を示すタイトル画像Ｔ１０と、アルバム名称「Ａ」に参加しているメンバーを示すメンバー画像Ｍ１と、作成中のアルバムのアルバム名称「Ａ」への参加を決定する参加決定操作を受け付ける操作アイコンＡ１６等が表示されている。
なお、第４作成ページＷ１２にメンバー画像Ｍ１の各メンバーに隣接してラジオボタンを配置し、当該ラジオボタンを操作することでアルバム作成に参加するメンバーを選択することができるように構成しても構わない。
【００９２】
続いて、第２制御部５７は、カメラユーザにより入力部５１へ作成操作または参加決定操作があった（図２２及び図２３の例では、タッチパネル（入力部５１）への操作により、「作成？」または「参加？」の文字が付された操作アイコンＡ１３または操作アイコンＡ１６がタッチされた）か否かを判断する（ステップＳ２３１Ｄ）。
作成操作または参加決定操作がないと判断された場合（ステップＳ２３１Ｄ：Ｎｏ）には、通信機器５は、ステップＳ２３１Ｃに戻る。
一方、作成操作または参加決定操作があったと判断された場合（ステップＳ２３１Ｄ：Ｙｅｓ）には、機器側通信制御部５７１は、機器側第１通信部５６１、アクセスポイントＡ、及びインターネット網Ｎを介して、カメラユーザにより入力された情報をサーバ３に送信する（ステップＳ２３１Ｅ）。
【００９３】
ここで、ステップＳ２３１Ｅでサーバ３に送信する情報（カメラユーザにより入力された情報）は、以下の通りである。
すなわち、当該情報は、カメラユーザにより作成操作（図２２の例では操作アイコンＡ１３のタッチ）がなされた場合においては、入力されたアルバム名称及びアルバム有効期間に関する情報である。
また、当該情報は、カメラユーザにより参加決定操作（図２４の例では操作アイコンＡ１６のタッチ）がなされた場合においては、参加表明操作を行った（図２３の例では操作アイコンＡ１４、Ａ１５等のタッチ）がなされたアルバム名称に関する情報である。
【００９４】
なお、上述したステップＳ２３１Ａ〜Ｓ２３１Ｅでは、通信機器５がＷｉ−Ｆｉ（登録商標）等の第１通信方式によりアクセスポイントＡを介してインターネット網Ｎに接続してサーバ３との間で通信を行う場合を例示したが、これに限られない。例えば、上述したステップＳ２３１Ａ〜Ｓ２３１Ｅにおいて、Ｗｉ−Ｆｉ（登録商標）等の第１通信方式による通信状態が良好ではない場合には、３Ｇ等の第２通信方式により基地局Ｂを介してインターネット網Ｎに接続してサーバ３との間で通信を行うように構成しても構わない。
【００９５】
〔サーバの動作〕
次に、サーバ３の動作について説明する。
図２５は、サーバ３の動作を示すフローチャートである。
サーバ側通信制御部３４１は、サーバ側通信部３１及びインターネット網Ｎを介して登録アクセス信号（送信元の通信機器５の端末を識別する識別情報を含む）を受信したか否かを判断する（ステップＳ３０１）。
登録アクセス信号を受信したと判断された場合（ステップＳ３０１：Ｙｅｓ）には、端末判定部３４２は、当該受信した登録アクセス信号に基づいて、アクセスしてきた送信元の通信機器５の識別情報を特定する（ステップＳ３０２）。
【００９６】
続いて、サーバ側表示制御部３４５は、当該受信した登録アクセス信号に応じて指定された登録ページ（例えば、図１９に示した登録ページＷ８）を、サーバ側通信部３１及びインターネット網Ｎを介して、ステップＳ３０２で特定された通信機器５に送信する（ステップＳ３０３）。
続いて、ユーザデータベース管理部３４３は、サーバ側通信部３１及びインターネット網Ｎを介して通信機器５から受信したユーザ情報（ステップＳ３０２で特定された通信機器５からステップＳ２２９Ｆで送信されたユーザ情報）をステップＳ３０２で特定された通信機器５の識別情報に関連付けてユーザデータベース３２に記録する（ステップＳ３０４）。この後、サーバ３は、ステップＳ３０１に戻る。
【００９７】
ステップＳ３０１で登録アクセス信号を受信していないと判断した場合（ステップＳ３０１：Ｎｏ）には、サーバ側通信制御部３４１は、サーバ側通信部３１及びインターネット網Ｎを介して作成アクセス信号（送信元の通信機器５の端末を識別する識別情報を含む）を受信したか否かを判断する（ステップＳ３０５）。
作成アクセス信号を受信したと判断された場合（ステップＳ３０５：Ｙｅｓ）には、端末判定部３４２は、当該受信した作成アクセス信号に基づいて、アクセスしてきた送信元の通信機器５の識別情報を特定する（ステップＳ３０６）。
【００９８】
続いて、サーバ側表示制御部３４５は、当該受信した作成アクセス信号に応じて指定された作成ページ（例えば、図２１ないし図２４に示す作成ページＷ９〜Ｗ１２）を、サーバ通信部３１及びインターネット網Ｎを介して、ステップＳ３０６で特定された通信機器５に送信する（ステップＳ３０７）。
続いて、ユーザデータベース管理部３４３は、サーバ側通信部３１及びインターネット網Ｎを介して通信機器５から受信した情報（ステップＳ３０６で特定された通信機器５からステップＳ２３１Ｅで送信された情報）をユーザデータベース３２に記録する（ステップＳ３０８）。この後、サーバ３は、ステップＳ３０１に戻る。
【００９９】
具体的に、カメラユーザにより作成操作（図２２の例では操作アイコンＡ１３のタッチ）がなされて通信機器５からアルバム名称及びアルバム有効期間に関する情報が送信された場合（ステップＳ２３１Ｅ）には、ユーザデータベース管理部３４３は、ステップＳ３０８において、当該アルバム名称及びアルバム有効期間に関する情報を、ユーザデータベース３２に記録されたユーザ情報のうち、ステップＳ３０６で特定された通信機器５の識別情報に対応するユーザ情報に関連付ける。また、カメラユーザにより参加決定操作（図２４の例では操作アイコンＡ１６のタッチ）がなされて通信機器５からアルバム名称に関する情報が送信された場合（ステップＳ２３１Ｅ）には、ユーザデータベース管理部３４３は、ステップＳ３０８において、当該アルバム名称に関する情報を、ユーザデータベース３２に記録されたユーザ情報のうち、ステップＳ３０６で特定された通信機器５の識別情報に対応するユーザ情報に関連付ける。
【０１００】
また、ステップＳ３０７で通信機器５に送信される第３作成ページＷ１１（図２３）は、以下に示すように生成されるものである。
すなわち、サーバ側表示制御部３４５は、カメラユーザにより参加操作（図２１の例では操作アイコンＡ１２のタッチ）がなされて通信機器５から次ページ（図２３に示した第３作成ページＷ１１）の送信要求を受けた場合には、サーバ３に設けられたリアルタイムクロック（図示略）等から提供される現在の日時を認識する。続いて、サーバ側表示制御部３４５は、ユーザデータベース３２に記録されたユーザ情報のうち、当該認識した現在の日時を含むアルバム有効期間に関する情報が関連付けられたユーザ情報を特定する。そして、サーバ側表示制御部３４５は、当該特定したユーザ情報に関連付けられたアルバム名称に関する情報を参照し、当該アルバム名称「Ａ」，「Ｂ」等のアルバムへの参加を促す操作アイコンＡ１４，Ａ１５等を並べた第３作成ページＷ１１を生成する。この後、サーバ側表示制御部３４５は、ステップＳ３０７において、当該生成した第３作成ページＷ１１を通信機器５に送信する。
【０１０１】
また、ステップＳ３０７で通信機器５に送信される第４作成ページＷ１２（図２４）は、以下に示すように生成されるものである。
すなわち、サーバ側表示制御部３４５は、カメラユーザにより参加表明操作（図２３の例では操作アイコンＡ１４，Ａ１５等のタッチ）がなされて通信機器５から当該タッチされた操作アイコンＡ１４，Ａ１５等に対応するアルバム名称に関する情報を受信した場合には、ユーザデータベース３２に記録されたユーザ情報のうち、当該アルバム名称に関連付けられたユーザ情報を特定する。そして、サーバ側表示制御部３４５は、当該特定したユーザ情報に含まれるハンドルネームを並べた第４作成ページＷ１２を生成する。この後、サーバ側表示制御部３４５は、ステップＳ３０７において、当該生成した第４作成ページＷ１２を通信機器５に送信する。
【０１０２】
ステップＳ３０５で作成アクセス信号を受信していないと判断した場合（ステップＳ３０５：Ｎｏ）には、サーバ側通信制御部３４１は、サーバ側通信部３１及びインターネット網Ｎを介して中断依頼情報（メール）の送信指示（送信元の通信機器５の端末を識別する識別情報を含む）を受信したか否かを判断する（ステップＳ３０９）。
中断依頼情報の送信指示を受信したと判断された場合（ステップＳ３０９：Ｙｅｓ）には、端末判定部３４２は、当該送信指示とともに受信した識別情報に基づいて、アクセスしてきた送信元の通信機器５の識別情報を特定する（ステップＳ３１０）。
【０１０３】
続いて、サーバ側通信制御部３４１は、ユーザデータベース３２に記録された情報を参照し、ステップＳ３１０で特定された通信機器５とは異なる他の通信機器５に対して中断依頼情報（メール）を送信する（ステップＳ３１１）。この後、サーバ３は、ステップＳ３０１に戻る。
具体的に、サーバ側通信制御部３４１は、ユーザデータベース３２に記録されたユーザ情報のうち、ステップＳ３１０で特定された通信機器５の識別情報に対応するユーザ情報を特定する。続いて、サーバ側通信制御部３４１は、ユーザデータベース３２に記録されたユーザ情報のうち、当該特定したユーザ情報に関連付けられたアルバム名称に関する情報と同一のアルバム名称に関する情報が関連付けられたユーザ情報を読み出す。そして、サーバ側通信制御部３４１は、当該読み出したユーザ情報に含まれるメールアドレスを参照し、ステップＳ３１０で特定された通信機器５とは異なる他の通信機器５に対して中断依頼情報（メール）を送信する（ステップＳ３１１）。この後、サーバ３は、ステップＳ３０１に戻る。
すなわち、本実施の形態では、通信システム１を利用して共通のアルバムを作成している複数のカメラユーザで構成される１つのグループ内で、一のカメラユーザ（例えば、図５に示した「Ｘさん」）が中断依頼操作を行った場合（ステップＳ２０６Ｂ：Ｙｅｓ，ステップＳ２２６Ｂ：Ｙｅｓ）には、他のカメラユーザ（例えば、図５に示した「Ｙさん」及び「Ｚさん」）に対して中断依頼（ステップＳ２１１：Ｙｅｓ）が行われる構成になっている。
【０１０４】
ステップＳ３０９で中断依頼情報の送信指示を受信していないと判断した場合（ステップＳ３０９：Ｎｏ）には、サーバ側通信制御部３４１は、サーバ側通信部３１及びインターネット網Ｎを介して撮影画像データ（送信元の通信機器５の端末を識別する識別情報を含む）を受信したか否かを判断する（ステップＳ３１２）。
撮影画像データを受信したと判断された場合（ステップＳ３１２：Ｙｅｓ）には、端末判定部３４２は、当該撮影画像データとともに受信した識別情報に基づいて、アクセスしてきた送信元の通信機器５の識別情報を特定する（ステップＳ３１３）。
続いて、画像データベース管理部３４３は、ユーザデータベース３２に記録されたユーザ情報のうち、ステップＳ３１３で特定された通信機器５の識別情報に対応するユーザ情報に関連付けられたアルバム名称に関する情報と、当該受信した撮影画像データとを関連付ける。そして、画像データベース管理部３４３は、互いに関連付けられた撮影画像データ及びアルバム名称に関する情報を画像データベース３３に記録する（ステップＳ３１４）。この後、サーバ３は、ステップＳ３０１に戻る。
【０１０５】
ステップＳ３１２で撮影画像データを受信していないと判断した場合（ステップＳ３１２：Ｎｏ）には、サーバ側通信制御部３４１は、サーバ側通信部３１及びインターネット網Ｎを介して他のアクセス信号（例えば、画像データベース３３に記録されたアルバムの閲覧要求等）を受信したか否かを判断する（ステップＳ３１５）。
他のアクセス信号を受信していないと判断された場合（ステップＳ３１５：Ｎｏ）には、サーバ３は、ステップＳ３０１に戻る。
一方、他のアクセス信号を受信したと判断された場合（ステップＳ３１５：Ｙｅｓ）には、端末判定部３４２は、当該アクセス信号に基づいて、アクセスしてきた送信元の通信機器５の識別情報を特定する（ステップＳ３１６）。
続いて、第３制御部３４は、当該アクセス信号に応じた処理（アクセス信号が上記閲覧要求の場合には、コンテンツ表示（対応するアルバムに含まれる撮影画像データの送信）等を実行する（ステップＳ３１７）。この後、サーバ３は、ステップＳ３０１に戻る。
【０１０６】
以上説明した本実施の形態に係る通信システム１では、通信機器５は、Ｗｉ−Ｆｉ（登録商標）等の第１通信方式、及び３Ｇ等の第２通信方式により撮像装置４等の外部機器と通信可能に構成されている。そして、通信機器５は、Ｗｉ−Ｆｉ（登録商標）等の第１通信方式による通信状態が良好でない場合には、３Ｇ等の第２通信方式により、当該通信機器５（例えば、図５に示した通信機器５Ｘ）とは異なる他の通信機器５（例えば、図５に示した通信機器５Ｙ，５Ｚ）に対し、第１通信方式による通信の中断依頼を行う。
このため、例えば同一環境下（例えば、図５に示した結婚式）で複数のカメラユーザ（例えば、図５に示した「Ｘさん」、「Ｙさん」、「Ｚさん」）がそれぞれカメラシステム２を利用したためにＷｉ−Ｆｉ（登録商標）等の第１通信方式による通信状態が不良な状態に陥った場合であっても、比較的に混信し難い３Ｇ等の第２通信方式を利用して他の通信機器５に対して第１通信方式による通信の中断依頼を行い、第１通信方式による通信状態を良好な状態に復旧することができる。したがって、Ｗｉ−Ｆｉ（登録商標）等の第１通信方式により撮像装置４等の外部機器と通信を行うことが可能となり、利便性の向上が図れる、という効果を奏する。
【０１０７】
また、本実施の形態に係る通信機器５は、３Ｇ等の第２通信方式によりインターネット網Ｎに接続してサーバ３にアクセスし、当該サーバ３に上述した中断依頼を示す中断依頼情報（メール）の送信指示を行う。すなわち、本実施の形態に係る通信機器５は、サーバ３を介して、上述した中断依頼を行う。
ここで、サーバ３は、Ｗｉ−Ｆｉ（登録商標）等の第１通信方式による通信状態が不良な状態に陥っている環境（例えば、図５に示した結婚式）にいるカメラユーザ（特定のアルバム作成に参加しているカメラユーザ）のユーザ情報（メールアドレス等）を管理している。このため、当該サーバ３を介して上述した中断依頼を行う（中断依頼情報（メール）を送信する）ことで、当該環境下でＷｉ−Ｆｉ（登録商標）等の第１通信方式による通信状態を不良な状態にしているカメラシステム２（例えば、図５に示した「Ｙさん」、「Ｚさん」が使用するカメラシステム２）における第１通信方式による通信を中断させることが可能となる。すなわち、当該環境下でのＷｉ−Ｆｉ（登録商標）等の第１通信方式による通信状態の復旧をより確実に行うことが可能となる。
【０１０８】
また、本実施の形態に係る通信機器５は、サーバ３に対して撮影画像データをアップロードする際、あるいは、撮像装置４からライブビュー画像データや撮影画像データを受信する際に、Ｗｉ−Ｆｉ（登録商標）等の第１通信方式による通信状態が良好でない場合に、上述した中断依頼を行う。
このため、不要に中断依頼を行うことなく、適切なタイミングで中断依頼を行うことができる。
【０１０９】
また、本実施の形態に係る通信機器５は、Ｗｉ−Ｆｉ（登録商標）等の第１通信方式による通信状態が良好でない場合に、当該第１通信方式による通信が不能であることを示す通信不可画面（例えば、図１３に示した通信不可画面Ｗ５）を表示部５２に表示する。
このため、当該通信機器５のカメラユーザは、第１通信方式による通信が不能であることを即座に認識し、他の通信機器５に対する第１通信方式による通信の中断依頼操作を即座に行うことができる。
【０１１０】
また、本実施の形態に係る通信機器５は、中断依頼情報（メール）を受信した場合に、Ｗｉ−Ｆｉ（登録商標）等の第１通信方式による通信の中断を促す中断依頼画面（例えば、図１６に示した中断依頼画面Ｗ６）を表示部５２に表示する。
このため、当該通信機器５のカメラユーザは、中断依頼情報（メール）を受信したことを即座に認識し、自身が使用する通信機器５における第１通信方式による通信の中断操作を即座に行うことができる。
【０１１１】
また、本実施の形態に係る撮像装置４は、サーバ３におけるインターネット網Ｎ上の所在位置を示す所在位置情報（ＵＲＬ）が予め記録されており、通信機器５からの当該所在位置情報の送信要求を受けて、当該所在位置情報を通信機器５に送信する。
このため、通信機器５は、撮像装置４から所在位置情報を受信することで、アルバム作成サービスを行っているサーバ３にアクセスし、メンバー登録（ユーザ情報の登録）やアルバム作成を容易に行うことができる。
【０１１２】
（その他の実施の形態）
ここまで、本発明を実施するための形態を説明してきたが、本発明は上述した実施の形態によってのみ限定されるべきものではない。
上述した実施の形態では、通信機器５は、サーバ３を介して、他の通信機器５に対し、Ｗｉ−Ｆｉ（登録商標）等の第１通信方式による通信の中断依頼を行っていたが、これに限られない。例えば、特定のアルバム作成に参加するカメラユーザが使用する通信機器５のメールアドレス等を自身の通信機器５に予め登録しておき、当該予め登録しておいたメールアドレス等を利用して、サーバ３を介さずに、直接、他の通信機器５に対して中断依頼を行っても構わない。
【０１１３】
上述した実施の形態では、通信システム１として、撮像装置４、通信機器５、及びサーバ３を含む構成を例示したが、これに限られず、撮像装置４を省略した構成を採用しても構わない。すなわち、通信機器５に設けられた第２撮像部５３にて撮像された画像データを利用してサーバ３でアルバムを作成及び管理する通信システムとしても構わない。
【０１１４】
上述した実施の形態において、サーバ３が中断依頼情報（メール）を送信する際、当該中断依頼情報とともに、中断依頼を行ったカメラユーザを特定するハンドルネーム等を送信しても構わない。すなわち、当該中断依頼情報を受信した通信機器５が表示する中断依頼画面（例えば、図１６に示した中断依頼画面Ｗ６）に、中断依頼を行ったカメラユーザを特定するハンドルネーム等を表示しても構わない。このように構成した場合には、中断依頼情報を受信した通信機器５のカメラユーザは、誰が中断依頼を行ったかを把握することができる。このため、当該カメラユーザに安心して中断操作を行わせることができる。
【０１１５】
上述した実施の形態では、撮像装置４として全体形状が所謂交換レンズの全体形状と略同様のレンズ型カメラを例示していたが、これに限られず、通常のデジタルカメラ（表示部の有無は問わない）で構成しても構わない。
【０１１６】
上述した実施の形態では、通信機器５は、Ｗｉ−Ｆｉ（登録商標）等の第１通信方式による通信が不能であることを示す情報（例えば、図１３に示した通信不可画面Ｗ５）や、第１通信方式による通信の中断を促す情報（例えば、図１６に示した中断依頼画面Ｗ６）を表示部５２に表示していたが、これに限られず、当該情報を音声により報知するように構成しても構わない。
【０１１７】
上述した実施の形態では、第１通信方式をＷｉ−Ｆｉ（登録商標）として説明したが、こうした無線ＬＡＮ以外に、Ｂｌｕｅｔｏｏｔｈ（登録商標）のようなネットワーク用の通信でも本発明は適用可能である。また、電話回線として、簡単化したが、他の無線通信や無線放送を使ってもよい。また、同様の通信不能状態は、混信の他、帯域不足でも起こり得る。例えば、特定施設内の固定位置に設置された通信不能なカメラを複数のユーザが共有している場合等、複数ユーザ共有による帯域不足でスルー画（ライブビュー画像データ）のフレームレートが小さくなることがある。このような状態も、本件の通信不能に近い状態で、同様の解決手段が適用できることは言うまでもない。この場合も、同様に他端末に中断依頼を出すことで対応可能であるが、この場合は、ユーザ登録やサーバ経由でメールを送る必要はなく、接続されている全機器に対して一斉通知（マルチキャスト）するという方法もある。このような考え方によって、電話回線以外に、ワンセグのような放送によっても、多くの機器に依頼を行うことが可能となる。以上説明したように、ここでは、結婚式の撮影シーンについてかなり注力した説明を行っているが、混線や帯域によって、こうした機器間通信がうまくいかずに、他のユーザ等に救済策を依頼する状況は、カメラの撮影に限らない。特に、近年、無線通信で情報端末とウェアラブル機器等が連携して機能を満足する用途は増加しており、このような分かりやすい例を挙げるまでもなく、産業用機器、医療用機器においても、本発明は有効である。撮影以外に音声等の生体情報を取得する用途、その他の種々の検査物を検査し、これらを単に記録するのみならず、観察や検査するための機器においても、本発明は利用が可能である。
【０１１８】
上述した実施の形態では、各画面Ｗ１〜Ｗ７及び各ページＷ８〜Ｗ１２は、各種情報を文字表現により表示していたが、これに限られず、図形表現により表示しても構わない。
【０１１９】
また、処理フローは、上述した実施の形態で説明したフローチャートにおける処理の順序に限られず、矛盾のない範囲で変更しても構わない。
さらに、本明細書においてフローチャートを用いて説明した処理のアルゴリズムは、プログラムとして記述することが可能である。このようなプログラムは、コンピュータ内部の記録部に記録してもよいし、コンピュータ読み取り可能な記録媒体に記録してもよい。プログラムの記録部または記録媒体への記録は、コンピュータまたは記録媒体を製品として出荷する際に行ってもよいし、通信ネットワークを介したダウンロードにより行ってもよい。
【符号の説明】
【０１２０】
１  通信システム
２  カメラシステム
３  サーバ
４，４Ｘ〜４Ｚ  撮像装置
５  ，５Ｘ〜５Ｚ  通信機器
６  アタッチメント
６Ａ  取付用孔
３１  サーバ側通信部
３２  ユーザデータベース
３３  画像データベース
３４  第３制御部
４０  レンズ鏡筒
４１  光学系
４２  駆動部
４３  位置検出部
４４  操作部
４５  第１撮像部
４６  第１メモリ部
４７  第１記録部
４８  撮像側通信部
４９  第１制御部
５１  入力部
５２  表示部
５３  第２撮像部
５４  第２メモリ部
５５  第２記録部
５６  機器側通信部
５７  第２制御部
３４１  サーバ側通信制御部
３４２  端末判定部
３４３  ユーザデータベース管理部
３４４  画像データベース管理部
３４５  サーバ側表示制御部
４１１  ズームレンズ
４１２  フォーカスレンズ
４２１  ズーム駆動部
４２２  フォーカス駆動部
４３１  ズーム位置検出部
４３２  フォーカス位置検出部
５３１  光学系
５５１  プログラム記録部
５５２  画像データ記録部
５５３  所在位置情報記録部
５６１  機器側第１通信部
５６２  機器側第２通信部
５７１  機器側通信制御部
５７２  通信状態判定部
５７３  機器側表示制御部
５７４  撮像制御部
Ａ  アクセスポイント
Ａ１〜Ａ８  操作アイコン
Ｂ  基地局
Ｂｒ  花嫁
Ｃ１  時間情報
Ｅ１〜Ｅ４  入力領域
Ｇｒ  花婿
Ｍ１  メンバー画像
Ｎ  インターネット網
Ｔ１〜Ｔ１０  タイトル画像
Ｘ，Ｙ，Ｚ  カメラユーザ
Ｗ１  初期画面
Ｗ２  ライブビュー表示画面
Ｗ３  撮影画像表示画面
Ｗ４  通信中画面
Ｗ５  通信不可画面
Ｗ６  中断依頼画面
Ｗ７  中断継続画面
Ｗ８  登録ページ
Ｗ９〜Ｗ１２  第１〜第４作成ページ
Ｗ１０１  ライブビュー画像
Ｗ２０１  撮影画像
【図１】
2015164240.tif 000003
【図２】
2015164240.tif 000004
【図３】
2015164240.tif 000005
【図４】
2015164240.tif 000006
【図５】
2015164240.tif 000007
【図６】
2015164240.tif 000008
【図７】
2015164240.tif 000009
【図８】
2015164240.tif 000010
【図９】
2015164240.tif 000011
【図１０】
2015164240.tif 000012
【図１１】
2015164240.tif 000013
【図１２】
2015164240.tif 000014
【図１３】
2015164240.tif 000015
【図１４】
2015164240.tif 000016
【図１５】
2015164240.tif 000017
【図１６】
2015164240.tif 000018
【図１７】
2015164240.tif 000019
【図１８】
2015164240.tif 000020
【図１９】
2015164240.tif 000021
【図２０】
2015164240.tif 000022
【図２１】
2015164240.tif 000023
【図２２】
2015164240.tif 000024
【図２３】
2015164240.tif 000025
【図２４】
2015164240.tif 000026
【図２５】
2015164240.tif 000027